(57)【要約】【課題】設定された目標消費電力を達成しつつコンテンツを処理できるようにコンテンツ処理装置を制御する。【解決手段】本発明のコンテンツ処理装置は、１以上の処理ユニットの動作を制御してコンテンツを処理するコンテンツ処理装置において、コンテンツを処理するために上記処理ユニットが消費する消費電力を推定する消費電力推定部２２と、消費電力推定部２２によって推定された推定消費電力と当該コンテンツ処理装置の消費電力を抑える目標値を示す目標消費電力とを比較する消費電力比較部２４と、消費電力推定部２２の比較結果に基づいて、推定消費電力が目標消費電力を超えないように上記処理ユニットを制御する処理ユニット制御部（バックライト制御部２７）とを備えていることを特徴としている。【選択図】図１
2010134455.tif 000002
【特許請求の範囲】
【請求項１】
コンテンツを表示する表示装置のバックライトを制御する表示制御装置であって、
上記コンテンツ表示中の上記バックライトの消費電力を推定する消費電力推定手段と、
上記消費電力推定手段によって推定された推定消費電力と上記バックライトの消費電力を抑える目標値を示す目標消費電力とを比較する消費電力比較手段と、
上記消費電力比較手段の比較結果に基づいて、上記推定消費電力が上記目標消費電力を超えないように上記バックライトを制御するバックライト制御手段とを備えていることを特徴とする表示制御装置。
【請求項２】
上記消費電力推定手段は、上記バックライトの輝度に基づいて消費電力を推定し、
上記バックライト制御手段は、上記バックライトの輝度を制御することを特徴とする請求項１に記載の表示制御装置。
【請求項３】
上記バックライト制御手段は、上記バックライトの発光面における任意の領域ごとに、輝度を異ならせるように制御可能であり、
上記消費電力推定手段は、上記コンテンツの表示サイズの変更に伴いコンテンツが非表示となる領域をバックライトの消灯領域とみなして該バックライトの消費電力を推定し、
上記バックライト制御手段は、上記バックライトの消灯領域を消灯することを特徴とする請求項１または２に記載の表示制御装置。
【請求項４】
上記バックライトの発光状態を模擬するバックライト模擬手段を備え、
上記消費電力推定手段は、模擬的な上記発光状態に基づいて、上記コンテンツを表示する際に必要な上記バックライトの消費電力を推定し、
上記バックライト模擬手段は、
上記消費電力比較手段が、上記推定消費電力が上記目標消費電力を達成していないと判定した場合に、上記バックライトの発光状態を変更し、
上記消費電力比較手段が、上記推定消費電力が上記目標消費電力を達成していると判定した場合に、上記模擬的な発光状態に基づく制御値を、上記バックライト制御手段に出力することを特徴とする請求項１から３までのいずれか１項に記載の表示制御装置。
【請求項５】
上記コンテンツには、該コンテンツを表示する際に上記表示装置が達成すべき目標消費電力が含まれており、
上記消費電力比較手段は、上記コンテンツから抽出された目標消費電力と上記推定消費電力とを比較することを特徴とする請求項１から４までのいずれか１項に記載の表示制御装置。
【請求項６】
上記コンテンツには、さらに、上記バックライトの発光状態につき、上記コンテンツの表示品質が損なわれない限界の状態を示す限界値が含まれており、
上記バックライト制御手段は、上記限界値を超えない範囲において上記バックライトを制御することを特徴とする請求項５に記載の表示制御装置。
【請求項７】
コンテンツを表示する自発光型表示パネルを制御する表示制御装置であって、
上記コンテンツ表示中の上記自発光型表示パネルの消費電力を推定する消費電力推定手段と、
上記消費電力推定手段によって推定された推定消費電力と上記自発光型表示パネルの消費電力を抑える目標値を示す目標消費電力とを比較する消費電力比較手段と、
上記消費電力比較手段の比較結果に基づいて、上記推定消費電力が上記目標消費電力を超えないように上記自発光型表示パネルの輝度を制御する輝度制御手段とを備えていることを特徴とする表示制御装置。
【請求項８】
表示装置がコンテンツを表示する際に必要なバックライトの消費電力につき、該消費電力を抑える目標値を示す目標消費電力を決定する目標消費電力決定手段と、
上記目標消費電力決定手段が決定した目標消費電力を上記コンテンツに埋め込むコンテンツ生成手段とを備えていることを特徴とするコンテンツ生成装置。
【請求項９】
上記表示装置の所定の消費電力に基づいてバックライトの輝度を再現し、該輝度にて上記コンテンツをユーザに提示するとともに、上記所定の消費電力をユーザに提示する輝度再現手段を備え、
上記目標消費電力決定手段は、提示された上記所定の消費電力を上記ユーザが承認した場合に、該消費電力を目標消費電力として決定することを特徴とする請求項８に記載のコンテンツ生成装置。
【請求項１０】
請求項５または６に記載の表示制御装置と、
請求項８または９に記載のコンテンツ生成装置とを含むことを特徴とするコンテンツ表示システム。
【請求項１１】
コンテンツを表示する表示装置のバックライトを制御する表示制御方法であって、
上記コンテンツ表示中の上記バックライトの消費電力を推定する消費電力推定ステップと、
上記消費電力推定ステップにて推定された推定消費電力と上記バックライトの消費電力を抑える目標値を示す目標消費電力とを比較する消費電力比較ステップと、
上記消費電力比較ステップでの比較結果に基づいて、上記推定消費電力が上記目標消費電力を超えないように上記バックライトを制御するバックライト制御ステップとを含むことを特徴とする表示制御方法。
【請求項１２】
コンテンツを表示する自発光型表示パネルを制御する表示制御方法であって、
上記コンテンツ表示中の上記自発光型表示パネルの消費電力を推定する消費電力推定ステップと、
上記消費電力推定ステップにて推定された推定消費電力と上記自発光型表示パネルの消費電力を抑える目標値を示す目標消費電力とを比較する消費電力比較ステップと、
上記消費電力比較ステップでの比較結果に基づいて、上記推定消費電力が上記目標消費電力を超えないように上記自発光型表示パネルの輝度を制御する輝度制御ステップとを含むことを特徴とする表示制御方法。
【請求項１３】
表示装置がコンテンツを表示する際に必要なバックライトの消費電力につき、該消費電力を抑える目標値を示す目標消費電力を決定する目標消費電力決定ステップと、
上記目標消費電力決定ステップにて決定された目標消費電力を上記コンテンツに埋め込むコンテンツ生成ステップとを含むことを特徴とするコンテンツ生成方法。
【請求項１４】
コンピュータを、請求項１から７までのいずれか１項に記載の表示制御装置、もしくは、請求項８または９に記載のコンテンツ生成装置の各手段として機能させるための制御プログラム。
【請求項１５】
請求項１４に記載の制御プログラムを記録したコンピュータ読み取り可能な記録媒体。
【請求項１６】
１以上の処理ユニットの動作を制御してコンテンツを処理するコンテンツ処理装置において、
コンテンツを処理するために上記処理ユニットが消費する消費電力を推定する消費電力推定手段と、
上記消費電力推定手段によって推定された推定消費電力と当該コンテンツ処理装置の消費電力を抑える目標値を示す目標消費電力とを比較する消費電力比較手段と、
上記消費電力比較手段の比較結果に基づいて、上記推定消費電力が上記目標消費電力を超えないように上記処理ユニットを制御する処理ユニット制御手段とを備えていることを特徴とするコンテンツ処理装置。
【請求項１７】
上記処理ユニット制御手段は、複数の手法で、１以上の処理ユニットを制御して消費電力を削減するための、複数の電力削減手段を備え、
当該コンテンツ処理装置は、さらに、
上記電力削減手段のそれぞれに対して動作の順番を指定する優先順位情報に基づいて、動作させる電力削減手段を選択する削減ツール選択手段を備えていることを特徴とする請求項１６に記載のコンテンツ処理装置。
【請求項１８】
上記コンテンツには、該コンテンツに応じて上記優先順位情報が含まれており、
削減ツール選択手段は、処理対象のコンテンツに含まれる上記優先順位情報に基づいて、上記電力削減手段を選択することを特徴とする請求項１７に記載のコンテンツ処理装置。
【請求項１９】
当該コンテンツ処理装置は、コンテンツを表示する表示装置を備え、
上記消費電力推定手段は、上記表示装置が備える、上記処理ユニットとしてのバックライトの輝度に基づいて消費電力を推定し、
上記処理ユニット制御手段は、上記バックライトの輝度を制御するバックライト制御手段を備えていることを特徴とする請求項１６から１８までのいずれか１項に記載のコンテンツ処理装置。
【請求項２０】
当該コンテンツ処理装置は、コンテンツを表示する表示装置を備え、該表示装置は、上記処理ユニットとして、発光面における任意の領域ごとに、輝度を異ならせるように制御可能なバックライトを備え、
上記消費電力推定手段は、上記コンテンツの表示サイズの変更に伴いコンテンツが非表示となる領域を上記バックライトの消灯領域とみなして該バックライトの消費電力を推定し、
上記処理ユニット制御手段は、上記消灯領域を消灯するバックライト制御手段を備えていることを特徴とする請求項１６から１９までのいずれか１項に記載のコンテンツ処理装置。
【請求項２１】
当該コンテンツ処理装置は、コンテンツを表示する表示装置と、上記処理ユニットとして、動画であるコンテンツを該表示装置に表示するための動画演算ユニットとを備え、
上記消費電力推定手段は、上記コンテンツのフレームレートに応じた演算の負荷に基づいて、上記動画演算ユニットの消費電力を推定し、
上記処理ユニット制御手段は、上記コンテンツのフレームレートを低下させて上記動画演算ユニットの負荷を低減するフレームレート変換手段を備えていることを特徴とする請求項１６から２０までのいずれか１項に記載のコンテンツ処理装置。
【請求項２２】
当該コンテンツ処理装置は、上記処理ユニットとして、コンテンツに含まれる音声信号を外部に出力する音声出力ユニットを備え、
上記消費電力推定手段は、上記音声信号の音圧レベルおよび上記音声出力ユニットに含まれる増幅器のゲインの少なくともいずれか一方に基づいて、上記音声出力ユニットの消費電力を推定し、
上記処理ユニット制御手段は、上記音声出力ユニットに含まれる減衰器が上記増幅器に対して出力する音圧レベルおよび上記増幅器のゲインの少なくともいずれか一方を低下させるよう、上記音声出力ユニットを制御する音声出力制御手段を備えていることを特徴とする請求項１６から２１までのいずれか１項に記載のコンテンツ処理装置。
【請求項２３】
１以上の処理ユニットの動作を制御してコンテンツを処理するコンテンツ処理装置におけるコンテンツ処理方法であって、
コンテンツを処理するために上記処理ユニットが消費する消費電力を推定する消費電力推定ステップと、
上記消費電力推定ステップにて推定された推定消費電力と上記コンテンツ処理装置の消費電力を抑える目標値を示す目標消費電力とを比較する消費電力比較ステップと、
上記消費電力比較ステップでの比較結果に基づいて、上記推定消費電力が上記目標消費電力を超えないように上記処理ユニットを制御する処理ユニット制御ステップとを含むことを特徴とするコンテンツ処理方法。
【請求項２４】
コンピュータを、請求項１６から２２までのいずれか１項に記載のコンテンツ処理装置の各手段として機能させるための制御プログラム。
【請求項２５】
請求項２４に記載の制御プログラムを記録したコンピュータ読み取り可能な記録媒体。
【発明の詳細な説明】
【技術分野】
【０００１】
本発明は、コンテンツを処理するコンテンツ処理装置の消費電力を制御する、コンテンツ処理装置、コンテンツ処理方法に関するものであり、特に、表示装置の消費電力を制御する表示制御装置、コンテンツ生成装置、コンテンツ表示システム、表示制御方法、コンテンツ生成方法、制御プログラムおよび記録媒体に関するものである。
【背景技術】
【０００２】
近年、テレビ受像機、パーソナルコンピュータ、携帯電話などの表示装置には、液晶ディスプレイや有機ＥＬディスプレイなどを採用することが一般的になっている。これにより、表示装置の薄型化を実現することが可能になっている。
【０００３】
そして、地球環境問題・エネルギー問題が取り沙汰されている昨今、上述したような電化製品に対して、地球環境に配慮した、いわゆる省エネ製品、エコ製品であることが強く求められている。従来、これらの表示装置が備えるバックライトユニットの消費電力を抑えて、省エネルギー、低消費電力を実現する装置がある（例えば、特許文献１、特許文献２など）。
【先行技術文献】
【特許文献】
【０００４】
【特許文献１】特開２００７−３１６６０６号公報（２００７年１２月６日公開）
【特許文献２】特開２００８−１５８４０１号公報（２００８年７月１０日公開）
【発明の概要】
【発明が解決しようとする課題】
【０００５】
一方、消費者（ユーザ）の間でも、地球環境問題・エネルギー問題の深刻さが浸透してきており、省エネ製品に対するユーザの関心は、ますます高まっている。さまざまな消費活動において、省エネルギーに貢献していることをユーザに意識させることは、商品の販売促進の観点からみても重要な課題となっている。省エネ化をユーザに意識させるためには、「ＣＯ２削減量／排出量」や「節約電気料金」などのように、具体的な数値を利用することが有効である。
【０００６】
しかしながら、上記従来の装置では、低消費電力が実現されているものの、具体的な削減目標値などが設定されて制御されているわけではない。したがって、省エネをユーザに意識させることできないという問題がある。
【０００７】
また、例えば、一般的なテレビ受像機には、表示される映像の明るさやコントラストを調整する機能が搭載されている。より詳細には「ダイナミック」「標準」「シネマ」「低消費電力」といった各種表示モードが設けられ、各々に異なる画面の輝度やコントラストが設定されている。そのうち、低消費電力モードを選択すると、輝度やコントラストが下がり、消費電力を押さえることができる。
【０００８】
しかしながら、表示対象のコンテンツ（静止画や動画など）の内容によって、輝度やコントラストは変化するものであり、消費電力はその変化の影響を受けて変動する。したがって、上記の構成では、具体的な削減目標値を定めて、目標の消費電力を保つようにコンテンツ表示を制御することはできないという問題がある。
【０００９】
なお、上記問題は、テレビ受像機に限られたものではなく、輝度と消費電力とが密接に関係するバックライトあるいは自発光型表示パネルを備える表示装置であれば同様に生じるものである。
【００１０】
本発明は、上記の問題点に鑑みてなされたものであり、その目的は、表示装置が設定された目標消費電力を達成しつつコンテンツを表示できるように表示装置を制御する、表示制御装置、コンテンツ生成装置、コンテンツ表示システム、表示制御方法、コンテンツ生成方法、制御プログラムおよび記録媒体を実現することにある。また、本発明の他の目的は、上記目標消費電力を達成しつつコンテンツを処理できるようにコンテンツ処理装置を制御するコンテンツ処理装置、コンテンツ処理方法を実現することにある。
【課題を解決するための手段】
【００１１】
本発明の表示制御装置は、上記課題を解決するために、コンテンツを表示する表示装置のバックライトを制御する表示制御装置であって、上記コンテンツ表示中の上記バックライトの消費電力を推定する消費電力推定手段と、上記消費電力推定手段によって推定された推定消費電力と上記バックライトの消費電力を抑える目標値を示す目標消費電力とを比較する消費電力比較手段と、上記消費電力比較手段の比較結果に基づいて、上記推定消費電力が上記目標消費電力を超えないように上記バックライトを制御するバックライト制御手段とを備えていることを特徴としている。
【００１２】
上記構成によれば、消費電力推定手段は、コンテンツを表示装置が表示したときのバックライトの消費電力を、推定消費電力として算定する。そして、消費電力比較手段は、上記推定消費電力と目標消費電力とを比較する。ここで、目標消費電力とは、コンテンツを表示するときに消費するバックライトの電力を抑える目標値を示す。
【００１３】
そして、バックライト制御手段は、上記推定消費電力が目標消費電力を超えないように上記バックライトを制御する。推定消費電力が目標消費電力以下となるように、バックライトの電力を節約する制御を行う。
【００１４】
これにより、表示制御装置は、表示装置が目標消費電力を達成しつつコンテンツを表示できるように該表示装置を制御することが可能となる。
【００１５】
上記消費電力推定手段は、上記バックライトの輝度に基づいて消費電力を推定し、上記バックライト制御手段は、上記バックライトの輝度を制御してもよい。
【００１６】
上記構成によれば、消費電力推定手段は、バックライトの輝度情報に基づいて消費電力を推定する。したがって、バックライト制御手段は、バックライトの輝度を制御する（主に、輝度を下げる）ことによって、バックライトの電力を節約する。これにより、目標消費電力を達成することが可能となる。
【００１７】
あるいは、上記バックライト制御手段は、上記バックライトの発光面における任意の領域ごとに、輝度を異ならせるように制御可能であり、上記消費電力推定手段は、上記コンテンツの表示サイズの変更に伴いコンテンツが非表示となる領域をバックライトの消灯領域とみなして該バックライトの消費電力を推定し、上記バックライト制御手段は、上記バックライトの消灯領域を消灯してもよい。
【００１８】
上記構成によれば、バックライト制御手段は、発光面における任意の領域ごとに、輝度を異ならせることが可能なバックライトを制御する。そして、上記コンテンツの表示サイズの変更（例えば、表示サイズの縮小、変形など）に伴って、表示装置の表示領域のうち、コンテンツが表示されない領域が生じた場合に、消費電力推定手段は、その非表示となる領域をバックライトの消灯領域とみなしてバックライトの消費電力を推定する。コンテンツの表示サイズが小さいほど、つまり、部分的にバックライトを消灯する消灯領域が広いほど、消費電力の削減につながる。
【００１９】
したがって、バックライト制御手段は、コンテンツの表示サイズから求まる消灯領域内のバックライトを消灯することにより、バックライトの電力を節約する。これにより、目標消費電力を達成することが可能となる。
【００２０】
本発明の表示制御装置は、さらに、上記バックライトの発光状態を模擬するバックライト模擬手段を備え、上記消費電力推定手段は、模擬的な上記発光状態に基づいて、上記コンテンツを表示する際に必要な上記バックライトの消費電力を推定し、上記バックライト模擬手段は、上記消費電力比較手段が、上記推定消費電力が上記目標消費電力を達成していないと判定した場合に、上記バックライトの発光状態を変更し、上記消費電力比較手段が、上記推定消費電力が上記目標消費電力を達成していると判定した場合に、上記模擬的な発光状態に基づく制御値を、上記バックライト制御手段に出力してもよい。
【００２１】
上記構成によれば、バックライト模擬手段は、バックライトの発光状態（輝度、発光領域など）を模擬する。そして、上記消費電力推定手段は、上記模擬された発光状態に基づいてバックライトの消費電力を推定する。消費電力比較手段は、模擬的な発光状態に基づく推定消費電力と目標消費電力とを比較する。換言すれば、推定消費電力が目標消費電力を上回るか否かを判定する。
【００２２】
もし、上記推定消費電力が目標消費電力を達成していない場合には、バックライトの発光状態を、より消費電力を抑えられるように変化させなければならない。したがって、バックライト模擬手段は、上記バックライトの発光状態を（消費電力が減る方向に）変更する。
【００２３】
一方、上記推定消費電力が目標消費電力を達成した場合には、現在の模擬的な発光状態を、実際のバックライトにおいて維持すれば、目標消費電力を達成できるので、発光状態を変更する必要はない。そこで、バックライト模擬手段は、発光状態のさらなる変更を行う代わりに、現在の模擬的な発光状態の制御値（例えば、輝度情報や消灯領域の情報など）を、実際にバックライトを制御するバックライト制御手段に出力する。
【００２４】
これにより、バックライト制御は、目標消費電力を達成可能な制御値に基づいてバックライトを制御することが可能となる。
【００２５】
上記コンテンツには、該コンテンツを表示する際に上記表示装置が達成すべき目標消費電力が含まれており、上記消費電力比較手段は、上記コンテンツから抽出された目標消費電力と上記推定消費電力とを比較してもよい。
【００２６】
上記構成によれば、バックライト制御手段は、表示対象のコンテンツに対してあらかじめ設定されている目標消費電力にしたがって、その目標消費電力を超えないように消費電力を節約して、当該コンテンツを表示することが可能となる。つまり、コンテンツごとに適したバックライト制御を行うことが可能となる。
【００２７】
上記コンテンツには、さらに、上記バックライトの発光状態につき、上記コンテンツの表示品質が損なわれない限界の状態を示す限界値が含まれており、上記バックライト制御手段は、上記限界値を超えない範囲において上記バックライトを制御することが好ましい。
【００２８】
上記構成によれば、上記コンテンツには、目標消費電力に加えて、バックライトの発光状態に関する限界値が定められている。バックライト制御手段は、目標消費電力とともに上記限界値を参照してバックライトの制御を行う。バックライト制御手段は、目標消費電力を達成するまで、バックライトの発光状態を変化させる。例えば、輝度を低減させたり、消灯領域を増やしたりする。しかし、このように消費電力を節約する方向での発光状態の変化は、コンテンツの視認性の低下に影響を与えることがほとんどである。
【００２９】
そこで、バックライト制御手段に対して、これ以上発光状態を変化させるとコンテンツの表示に係る品質が保証できないという限界値を定めておく。このように限界値を定めておくことにより、バックライト制御手段は、目標消費電力を達成するために発光状態を変化させる場合には、上記限界値を超えない範囲で行うことが可能となる。
【００３０】
これにより、目標消費電力の達成のために、コンテンツの表示品質が損なわれるという不都合を回避することが可能となる。
【００３１】
本発明の表示制御装置は、上記課題を解決するために、コンテンツを表示する自発光型表示パネルを制御する表示制御装置であって、上記コンテンツ表示中の上記自発光型表示パネルの消費電力を推定する消費電力推定手段と、上記消費電力推定手段によって推定された推定消費電力と上記自発光型表示パネルの消費電力を抑える目標値を示す目標消費電力とを比較する消費電力比較手段と、上記消費電力比較手段の比較結果に基づいて、上記推定消費電力が上記目標消費電力を超えないように上記自発光型表示パネルの輝度を制御する輝度制御手段とを備えていることを特徴としている。
【００３２】
上記構成によれば、自発光型表示パネルを備えた表示装置において、自発光型表示パネルの消費電力を目標消費電力以下に抑えつつ、コンテンツを表示することが可能となる。
【００３３】
本発明のコンテンツ生成装置は、上記課題を解決するために、表示装置がコンテンツを表示する際に必要なバックライトの消費電力につき、該消費電力を抑える目標値を示す目標消費電力を決定する目標消費電力決定手段と、上記目標消費電力決定手段が決定した目標消費電力を上記コンテンツに埋め込むコンテンツ生成手段とを備えていることを特徴としている。
【００３４】
上記構成によれば、目標消費電力決定手段は、表示装置がコンテンツを表示する際に必要なバックライトの消費電力につき、該消費電力を抑える目標値を示す目標消費電力を決定する。目標消費電力決定手段が決定する目標消費電力は、例えば、ユーザが指定してもよいし、コンテンツごと、あるいは、表示装置の機種ごとにあらかじめ設定されていてもよいし、特に限定されない。
【００３５】
コンテンツ生成手段は、目標消費電力決定手段が決定した目標消費電力をコンテンツに関連付けてコンテンツを完成させる。
【００３６】
これにより、コンテンツを生成し供給する側によって設定された目標消費電力にしたがって、表示装置を制御することが可能となる。
【００３７】
上記コンテンツ生成装置は、さらに、上記表示装置の所定の消費電力に基づいてバックライトの輝度を再現し、該輝度にて上記コンテンツをユーザに提示するとともに、上記所定の消費電力をユーザに提示する輝度再現手段を備え、上記目標消費電力決定手段は、提示された上記所定の消費電力を上記ユーザが承認した場合に、該消費電力を目標消費電力として決定してもよい。
【００３８】
上記構成によれば、まず、輝度再現手段が、表示装置のバックライトの所定の消費電力に基づいて、バックライトの輝度を再現して、表示装置にコンテンツが表示されたどのように視認されるのかについてユーザに提示する。さらに、その場合に、当該表示装置のバックライトの予想の消費電力（上記所定の消費電力）をユーザに提示する。
【００３９】
ユーザは、コンテンツ生成装置においてシミュレーションされたコンテンツの見易さと、そのときの予想の消費電力を確認する。ユーザは、コンテンツの見易さと目標消費電力としての値の妥当性を判断した後に、妥当と判断した場合には、上記所定の消費電力を承認する旨の指示信号を入力すればよい。
【００４０】
これにより、目標消費電力決定手段は、ユーザによって承認された上記所定の消費電力を目標消費電力として決定する。
【００４１】
結果として、コンテンツ生成装置のユーザは、コンテンツごとに妥当な目標消費電力を設定して該コンテンツを表示装置に供給することが可能となる。
【００４２】
上述の表示制御装置と、上述のコンテンツ生成装置とを含むコンテンツ表示システムも本発明の範疇に入る。
【００４３】
本発明の表示制御方法は、上記課題を解決するために、コンテンツを表示する表示装置のバックライトを制御する表示制御方法であって、上記コンテンツ表示中の上記バックライトの消費電力を推定する消費電力推定ステップと、上記消費電力推定ステップにて推定された推定消費電力と上記バックライトの消費電力を抑える目標値を示す目標消費電力とを比較する消費電力比較ステップと、上記消費電力比較ステップでの比較結果に基づいて、上記推定消費電力が上記目標消費電力を超えないように上記バックライトを制御するバックライト制御ステップとを含むことを特徴としている。
【００４４】
本発明の表示制御方法は、上記課題を解決するために、コンテンツを表示する自発光型表示パネルを制御する表示制御方法であって、上記コンテンツ表示中の上記自発光型表示パネルの消費電力を推定する消費電力推定ステップと、上記消費電力推定ステップにて推定された推定消費電力と上記自発光型表示パネルの消費電力を抑える目標値を示す目標消費電力とを比較する消費電力比較ステップと、上記消費電力比較ステップでの比較結果に基づいて、上記推定消費電力が上記目標消費電力を超えないように上記自発光型表示パネルの輝度を制御する輝度制御ステップとを含むことを特徴としている。
【００４５】
本発明のコンテンツ生成方法は、表示装置がコンテンツを表示する際に必要なバックライトの消費電力につき、該消費電力を抑える目標値を示す目標消費電力を決定する目標消費電力決定ステップと、上記目標消費電力決定ステップにて決定された目標消費電力を上記コンテンツに埋め込むコンテンツ生成ステップとを含むことを特徴としている。
【００４６】
本発明のコンテンツ処理装置は、上記目的を達成するために、１以上の処理ユニットの動作を制御してコンテンツを処理するコンテンツ処理装置において、コンテンツを処理するために上記処理ユニットが消費する消費電力を推定する消費電力推定手段と、上記消費電力推定手段によって推定された推定消費電力と当該コンテンツ処理装置の消費電力を抑える目標値を示す目標消費電力とを比較する消費電力比較手段と、上記消費電力比較手段の比較結果に基づいて、上記推定消費電力が上記目標消費電力を超えないように上記処理ユニットを制御する処理ユニット制御手段とを備えていることを特徴としている。
【００４７】
上記構成によれば、消費電力推定手段は、コンテンツを各処理ユニットが処理したときに消費する各処理ユニットの消費電力を、推定消費電力として算定する。そして、消費電力比較手段は、上記推定消費電力と目標消費電力とを比較する。ここで、目標消費電力とは、コンテンツを処理するときに消費する各処理ユニットの電力を抑える目標値を示す。
【００４８】
そして、処理ユニット制御手段は、上記推定消費電力が目標消費電力を超えないように上記処理ユニットを制御する。推定消費電力が目標消費電力以下となるように、処理ユニットの電力を節約する制御を行う。
【００４９】
これにより、コンテンツ処理装置は、目標消費電力を達成しつつコンテンツを処理できるように自装置の各処理ユニットを制御することが可能となる。
【００５０】
上記処理ユニット制御手段は、複数の手法で、１以上の処理ユニットを制御して消費電力を削減するための、複数の電力削減手段を備え、当該コンテンツ処理装置は、さらに、上記電力削減手段のそれぞれに対して動作の順番を指定する優先順位情報に基づいて、動作させる電力削減手段を選択する削減ツール選択手段を備えていてもよい。
【００５１】
上記コンテンツには、該コンテンツに応じて上記優先順位情報が含まれており、削減ツール選択手段は、処理対象のコンテンツに含まれる上記優先順位情報に基づいて、上記電力削減手段を選択してもよい。
【００５２】
本発明のコンテンツ処理装置は、コンテンツを表示する表示装置を備え、上記消費電力推定手段は、上記表示装置が備える、上記処理ユニットとしてのバックライトの輝度に基づいて消費電力を推定し、上記処理ユニット制御手段は、上記バックライトの輝度を制御するバックライト制御手段を備えていてもよい。
【００５３】
上記コンテンツ処理装置は、コンテンツを表示する表示装置を備え、該表示装置は、上記処理ユニットとして、発光面における任意の領域ごとに、輝度を異ならせるように制御可能なバックライトを備え、上記消費電力推定手段は、上記コンテンツの表示サイズの変更に伴いコンテンツが非表示となる領域を上記バックライトの消灯領域とみなして該バックライトの消費電力を推定し、上記処理ユニット制御手段は、上記消灯領域を消灯するバックライト制御手段を備えていてもよい。
【００５４】
上記コンテンツ処理装置は、コンテンツを表示する表示装置と、上記処理ユニットとして、動画であるコンテンツを該表示装置に表示するための動画演算ユニットとを備え、上記消費電力推定手段は、上記コンテンツのフレームレートに応じた演算の負荷に基づいて、上記動画演算ユニットの消費電力を推定し、上記処理ユニット制御手段は、上記コンテンツのフレームレートを低下させて上記動画演算ユニットの負荷を低減するフレームレート変換手段を備えていてもよい。
【００５５】
上記コンテンツ処理装置は、上記処理ユニットとして、コンテンツに含まれる音声信号を外部に出力する音声出力ユニットを備え、上記消費電力推定手段は、上記音声信号の音圧レベルおよび上記音声出力ユニットに含まれる増幅器のゲインの少なくともいずれか一方に基づいて、上記音声出力ユニットの消費電力を推定し、上記処理ユニット制御手段は、上記音声出力ユニットに含まれる減衰器が上記増幅器に対して出力する音圧レベルおよび上記増幅器のゲインの少なくともいずれか一方を低下させるよう、上記音声出力ユニットを制御する音声出力制御手段を備えていてもよい。
【００５６】
本発明のコンテンツ処理方法は、上記目的を達成するために、１以上の処理ユニットの動作を制御してコンテンツを処理するコンテンツ処理装置におけるコンテンツ処理方法であって、コンテンツを処理するために上記処理ユニットが消費する消費電力を推定する消費電力推定ステップと、上記消費電力推定ステップにて推定された推定消費電力と上記コンテンツ処理装置の消費電力を抑える目標値を示す目標消費電力とを比較する消費電力比較ステップと、上記消費電力比較ステップでの比較結果に基づいて、上記推定消費電力が上記目標消費電力を超えないように上記処理ユニットを制御する処理ユニット制御ステップとを含むことを特徴としている。
【００５７】
なお、上記表示制御装置、上記コンテンツ処理装置および上記コンテンツ生成装置は、コンピュータによって実現してもよく、この場合には、コンピュータを上記各手段として動作させることにより上記表示制御装置、上記コンテンツ処理装置またはコンテンツ生成装置をコンピュータにて実現させる表示制御装置、上記コンテンツ処理装置またはコンテンツ生成装置の制御プログラム、およびそれを記録したコンピュータ読み取り可能な記録媒体も、本発明の範疇に入る。
【発明の効果】
【００５８】
本発明の表示制御装置は、上記コンテンツ表示中の上記バックライトの消費電力を推定する消費電力推定手段と、上記消費電力推定手段によって推定された推定消費電力と上記バックライトの消費電力を抑える目標値を示す目標消費電力とを比較する消費電力比較手段と、上記消費電力比較手段の比較結果に基づいて、上記推定消費電力が上記目標消費電力を超えないように上記バックライトを制御するバックライト制御手段とを備えていることを特徴としている。
【００５９】
本発明の表示制御装置は、上記コンテンツ表示中の上記自発光型表示パネルの消費電力を推定する消費電力推定手段と、上記消費電力推定手段によって推定された推定消費電力と上記自発光型表示パネルの消費電力を抑える目標値を示す目標消費電力とを比較する消費電力比較手段と、上記消費電力比較手段の比較結果に基づいて、上記推定消費電力が上記目標消費電力を超えないように上記自発光型表示パネルの輝度を制御する輝度制御手段とを備えていることを特徴としている。
【００６０】
上記構成によれば、自発光型表示パネルを備えた表示装置において、自発光型表示パネルの消費電力を目標消費電力以下に抑えつつ、コンテンツを表示することが可能となる。
【００６１】
本発明のコンテンツ生成装置は、表示装置がコンテンツを表示する際に必要なバックライトの消費電力につき、該消費電力を抑える目標値を示す目標消費電力を決定する目標消費電力決定手段と、上記目標消費電力決定手段が決定した目標消費電力を上記コンテンツに埋め込むコンテンツ生成手段とを備えていることを特徴としている。
【００６２】
本発明の表示制御方法は、上記コンテンツ表示中の上記バックライトの消費電力を推定する消費電力推定ステップと、上記消費電力推定ステップにて推定された推定消費電力と上記バックライトの消費電力を抑える目標値を示す目標消費電力とを比較する消費電力比較ステップと、上記消費電力比較ステップでの比較結果に基づいて、上記推定消費電力が上記目標消費電力を超えないように上記バックライトを制御するバックライト制御ステップとを含むことを特徴としている。
【００６３】
本発明の表示制御方法は、上記コンテンツ表示中の上記自発光型表示パネルの消費電力を推定する消費電力推定ステップと、上記消費電力推定ステップにて推定された推定消費電力と上記自発光型表示パネルの消費電力を抑える目標値を示す目標消費電力とを比較する消費電力比較ステップと、上記消費電力比較手段の比較結果に基づいて、上記推定消費電力が上記目標消費電力を超えないように上記自発光型表示パネルの輝度を制御する輝度制御ステップとを含むことを特徴としている。
【００６４】
本発明のコンテンツ生成方法は、表示装置がコンテンツを表示する際に必要なバックライトの消費電力につき、該消費電力を抑える目標値を示す目標消費電力を決定する目標消費電力決定ステップと、上記目標消費電力決定ステップにて決定された目標消費電力を上記コンテンツに埋め込むコンテンツ生成ステップとを含むことを特徴としている。
【００６５】
したがって、表示装置が設定された目標消費電力を達成しつつコンテンツを表示できるように表示装置を制御することが可能になるという効果を奏する。
【００６６】
本発明のコンテンツ処理装置は、コンテンツを処理するために上記処理ユニットが消費する消費電力を推定する消費電力推定手段と、上記消費電力推定手段によって推定された推定消費電力と当該コンテンツ処理装置の消費電力を抑える目標値を示す目標消費電力とを比較する消費電力比較手段と、上記消費電力比較手段の比較結果に基づいて、上記推定消費電力が上記目標消費電力を超えないように上記処理ユニットを制御する処理ユニット制御手段とを備えていることを特徴としている。
【００６７】
本発明のコンテンツ処理方法は、コンテンツを処理するために上記処理ユニットが消費する消費電力を推定する消費電力推定ステップと、上記消費電力推定ステップにて推定された推定消費電力と上記コンテンツ処理装置の消費電力を抑える目標値を示す目標消費電力とを比較する消費電力比較ステップと、上記消費電力比較ステップでの比較結果に基づいて、上記推定消費電力が上記目標消費電力を超えないように上記処理ユニットを制御する処理ユニット制御ステップとを含むことを特徴としている。
【００６８】
したがって、目標消費電力を達成しつつコンテンツを処理できるようにコンテンツ処理装置を制御することが可能になるという効果を奏する。
【図面の簡単な説明】
【００６９】
【図１】本発明の実施形態におけるテレビ受像機に搭載された表示制御装置の要部構成を示すブロック図である。
【図２】本発明の実施形態におけるテレビ受像機の概略構成を示すブロック図である。
【図３】（ａ）は、ユーザが表示モードを設定するための操作画面の一例を示す図であり、（ｂ）は、設定情報記憶部に記憶される設定情報の具体例を示す図である。
【図４】本発明の実施形態における表示制御部が行うバックライト制御処理の流れを示すフローチャートである。
【図５】本実施形態における、コンテンツの表示サイズの変更に基づく、バックライト制御方法の概念を説明する図である。
【図６】本発明の他の実施形態におけるテレビ受像機に搭載された他の表示制御装置の要部構成を示すブロック図である。
【図７】本発明の他の実施形態におけるエココンテンツ表示システムの概要を示す図である。
【図８】本発明の他の実施形態におけるコンテンツ生成装置の要部構成を示すブロック図である。
【図９】静止画であるエココンテンツのデータ構造を概略的に示したデータ構造図である。
【図１０】機種情報記憶部に記憶されている機種情報のデータ構造の一例を示す図である。
【図１１】（ａ）および（ｂ）は、テレビ受像機でエココンテンツを再生する際に、エココンテンツに埋め込まれた品質保証最小電力値および品質保証最大電力値に基づいて、ユーザが目標消費電力を設定するための操作画面の一例を示す図である。
【図１２】（ａ）および（ｂ）は、輝度をシミュレートしてユーザが目標消費電力を指定するための操作画面の一例を示す図である。
【図１３】本発明の他の実施形態における表示制御部が行うバックライト制御処理の流れを示すフローチャートである。
【図１４】（ａ）および（ｂ）は、コンテンツ表示中の目標消費電力の情報をコンテンツとともに表示するときの画面の一例を示す図である。
【図１５】本発明の他の実施形態における、表示制御装置および／またはコンテンツ処理装置としてのテレビ受像機の要部構成を示すブロック図である。
【図１６】（ａ）は、エココンテンツ８２が静止画である場合のデータ構造を概略的に示したデータ構造図である。（ｂ）は、エココンテンツ８２に含まれる配分比率情報８４の具体例を示した図である。
【図１７】（ａ）は、ユーザが表示モードを設定するための操作画面の一例を示す図であり、（ｂ）は、設定情報記憶部に記憶される設定情報の具体例を示す図である。
【図１８】本発明の他の実施形態におけるテレビ受像機が備える映像信号処理部の要部構成を示すブロック図である。
【図１９】本発明の他の実施形態におけるテレビ受像機が備える音声信号処理部の要部構成を示すブロック図である。
【図２０】本発明の他の実施形態におけるテレビ受像機が備える表示制御部の要部構成を示すブロック図である。
【図２１】本発明の他の実施形態におけるテレビ受像機の処理の流れを示すフローチャートである。
【図２２】本発明の他の実施形態における表示制御部の輝度低減処理の流れを示すフローチャートである。
【図２３】本発明の他の実施形態における表示制御部の表示サイズ縮小処理の流れを示すフローチャートである。
【図２４】本発明の他の実施形態における映像信号処理部の負荷低減処理の流れを示すフローチャートである。
【図２５】本発明の他の実施形態における音声信号処理部の音量低減処理の流れを示すフローチャートである。
【発明を実施するための形態】
【００７０】
≪実施形態１≫
本発明の一実施形態について図面に基づいて説明すると以下の通りである。本実施形態では、一例として、本発明の表示制御装置を搭載する、表示装置としてのテレビ受像機を例に挙げて説明する。
【００７１】
〔テレビ受像機の構成−概要〕
図２は、本発明の実施形態におけるテレビ受像機１００の概略構成を示すブロック図である。図２に示すとおり、テレビ受像機１００は、少なくとも、制御部１０、表示部２、記憶部３、操作部４、および、コンテンツ取得部５を備える構成となっている。
【００７２】
制御部１０は、テレビ受像機１００が備える各部を統括制御するものである。制御部１０は、機能ブロックとしての表示制御部１を備えている。表示制御部１は、表示部２を制御するものである。表示制御部１が備える表示制御機能の一つとして、具体的には、バックライトユニット１２を制御して、消費電力を抑えたりすることが挙げられる。なお、機能ブロックとして示される表示制御部１は、ＣＰＵ（central processing unit）がＲＯＭ（read only memory）等の記憶装置に記憶されている表示制御用のプログラムをＲＡＭ（random access memory）等に読み出して実行することにより、本願発明の表示制御装置を実現することができる。表示制御部１の構成・動作については後に詳述する。
【００７３】
表示部２は、テレビ受像機１００が記憶するコンテンツ（静止画や動画など）を表示する表示デバイスである。本実施形態では、例えば、ＬＣＤ（液晶ディスプレイ）で実現される。表示部２は、液晶モジュール１１とバックライトユニット１２とで構成される。
【００７４】
より詳細には、液晶モジュール１１は、表示面を有する液晶表示パネルと、該液晶表示パネルに画像を表示させるための信号を入力する走査線駆動回路および信号線駆動回路とが備えられている。
【００７５】
バックライトユニット１２は、液晶モジュール１１の背後に設けられている。そして、バックライトユニット１２には、発光面を有するバックライトと、該バックライトを駆動するためのバックライト駆動回路とが備えられている。このバックライトユニット１２は、いわゆるローカル・ディミングが可能なように構成されていてもよい。ローカル・ディミングとは、上記発光面内において、所定の領域毎に輝度を異ならせることができることを意味する。このような構成によれば、発光面の全体ではなく任意の領域で部分的に、バックライトの点灯と消灯とを制御することができるので、表示内容に応じてより細かくバックライトの輝度を制御できるため、消費電力を調整する上で好ましい。しかし、バックライトユニット１２の構成は、上記構成に限定されるものではない。
【００７６】
記憶部３は、制御部１０が実行する制御プログラム、ＯＳプログラム、および、制御部１０が、テレビ受像機１００が有する各種機能を実行するときに読み出す各種データを記憶するものである。表示制御部１が行うバックライト制御のための表示制御用のプログラムも記憶部３に記憶されている。また、記憶部３には、コンテンツ記憶部４０と設定情報記憶部４１とが含まれている。コンテンツ記憶部４０は、表示部２に表示するコンテンツを保存しておくためのものであり、設定情報記憶部４１は、表示制御部１の表示制御に関係する情報であって、ユーザが選択した表示モードなどの各種設定情報を保存しておくためのものである。
【００７７】
操作部４は、テレビ受像機１００を動作させるための信号をユーザが入力するための入力デバイスである。本実施形態では、操作部４は、一例として、テレビ受像機１００をリモート操作するためのリモートコントローラ（リモコン）などで構成されているものとする。
【００７８】
コンテンツ取得部５は、適宜の通信手段またはインターフェース手段を介して、テレビ受像機１００の外部の装置または外部の記録媒体から、表示部２に表示すべきコンテンツを取得するものである。コンテンツ取得部５の具体例としては、いくつか挙げられる。例えば、放送データ受信部１３、外部インターフェース１４、通信部１５、赤外線通信部１６などであるが、上記に限定されない。
【００７９】
放送データ受信部１３は、地上波デジタル放送や衛星放送などにより放送されるコンテンツを受信するものであり、チューナ、復調部、ＴＳデコーダ、ＡＶデコーダなどで構成される。放送データ受信部１３のＴＳデコーダにより分離された映像データおよび該映像データに関連する情報データは、それぞれ制御部１０の各部によって処理される。
【００８０】
外部インターフェース１４は、外部記録媒体にアクセスし、外部記録媒体に記録されているコンテンツを読み取るものである。外部インターフェース１４が読み取り可能な外部記録媒体としては、ＵＳＢメモリ、ＳＤカード、ｍｉｎｉＳＤカード、ｍｉｃｒｏＳＤカード、メモリースティック（MEMORY STICK（登録商標））、スマートメディア（Smart Media（登録商標））、などの着脱可能な記録媒体、フラッシュメモリ、ハードディスクなどの補助記憶装置、あるいは、ディスク再生装置によって再生されるＣＤ−ＲＯＭ／ＭＯ／ＭＤ／ＤＶＤ／ＣＤ−Ｒ／ＢＤ等の光ディスクが挙げられる。
【００８１】
通信部１５は、通信網を介して他の通信装置と通信し、そこからコンテンツを取得するものである。通信部１５が取得するコンテンツとしては、例えば、インターネットを介してコンテンツプロバイダのサーバ装置よりＨＴＴＰプロトコルを用いて配信されたインターネットコンテンツが挙げられる。あるいは、通信部１５は、家庭内ＬＡＮを介してホームサーバと無線あるいは有線通信して、該ホームサーバからホームネットワークコンテンツを取得することが考えられる。また、通信部１５は、ケーブルテレビのサービスプロバイダが供給するケーブルコンテンツを取得してもよい。
【００８２】
赤外線通信部１６は、携帯電話などの赤外線通信機能を有する装置から送信されたコンテンツを受信するものである。より具体的には、赤外線通信部１６は、携帯電話から発せられた赤外線を受光して電気信号に変換する赤外線受光部（図示せず）を含んでいる。赤外線通信部１６は、上記赤外線受光部にて得られた電気信号を所定の赤外線通信プロトコル（例えば、ＩｒＳＳ通信）に従ってデジタルデータに変換して、それをコンテンツとして取得し、制御部１０に伝達する。
【００８３】
上述したコンテンツ取得部５によって取得されたコンテンツは、制御部１０の表示制御部１によって処理され、表示部２に出力される。表示部２の液晶モジュール１１に表示されるコンテンツは、設定された目標消費電力に応じて適切な輝度に調節されたバックライトユニット１２によって適度な明るさを保ってユーザに視認される。
【００８４】
〔テレビ受像機の構成−詳細〕
図１は、本発明の実施形態における表示制御装置としての、テレビ受像機１００の表示制御部１の要部構成を示すブロック図である。図１に示すとおり、表示制御部１は、表示対象取得部２１、消費電力推定部２２、目標値取得部２３、消費電力比較部２４、輝度シミュレート部２５、輝度情報出力部２６、および、バックライト制御部２７を備える構成となっている。さらに、設定受付部２０を備えていてもよい。
【００８５】
まず、目標消費電力の設定方法について具体例を説明する。
【００８６】
設定受付部２０は、ユーザが選択し設定した表示モードを操作部４から受け付けて、それを設定情報として設定情報記憶部４１に格納するものである。表示制御部１は、設定情報記憶部４１に記憶されている設定情報に基づいて、目標消費電力にしたがった表示制御を行うことができる。
【００８７】
本実施形態では、一例として、表示モードごとに目標消費電力が定められている。ユーザは、操作部４を操作して表示モードを選択することにより、テレビ受像機１００の表示に関係する目標消費電力を設定することができる。
【００８８】
図３（ａ）は、ユーザが表示モードを設定するための操作画面の一例を示す図であり、図３（ｂ）は、設定情報記憶部４１に記憶される設定情報の具体例を示す図である。
【００８９】
図３（ａ）に示す例では、テレビ受像機１００には、３つの表示モード（３つの目標消費電力）があらかじめ定められており、ユーザは、２００Ｗ、１００Ｗ、５０Ｗの３つの選択肢から１つを選択できるようになっている。ユーザが「５０Ｗ：低消費電力モード」を選択した場合には、設定受付部２０は、図３（ｂ）に示すとおり、目標消費電力として「５０Ｗ」の値を、消費電力設定のフィールドに格納する。この目標消費電力に基づいて、表示制御部１は、コンテンツを表示する際のバックライトユニット１２の消費電力が５０Ｗを超えないようにバックライトの輝度を制御することが可能となる。
【００９０】
目標消費電力の設定方法は、上記に限定されない。例えば、ユーザが任意のワット数を入力、設定できるようにしてもよい。この場合は、設定受付部２０は、ユーザが入力したワット数を上記フィールドに格納する。
【００９１】
なお、本実施形態では、上述のように設定された固定値に基づいて表示制御部１がバックライトユニット１２を制御する構成としたがこれに限定されない。例えば、表示制御部１は、表示対象のコンテンツごとに定められている目標消費電力を参照して、コンテンツごとに異なるバックライトユニット１２の輝度制御を動的に行ってもよい。具体的には、図３（ａ）に示すとおり、ユーザは、固定値とは別にコンテンツに設定されている目標消費電力を優先させるか否かを選択することが可能となっている。コンテンツごとにバックライトユニット１２の輝度制御を動的に行う場合には、ユーザは、「エココンテンツ設定：ＯＮ」を選択すればよい。設定受付部２０は、図３（ｂ）に示すとおり、「ＯＮ」の値をエココンテンツ設定のフィールドに格納する。これにより、表示制御部１は、コンテンツごとに定められた目標消費電力にしたがってバックライトユニット１２を制御する。
【００９２】
続いて、設定された目標消費電力にしたがってバックライトユニット１２の輝度制御を行うための表示制御部１の構成について説明する。
【００９３】
表示対象取得部２１は、テレビ受像機１００がコンテンツを表示する動作を開始するときに、テレビ受像機１００が表示すべきコンテンツをコンテンツ記憶部４０から取得するものである。コンテンツ記憶部４０に記憶されたコンテンツは、上述のコンテンツ取得部５の各部を介して適宜の手段を用いてテレビ受像機１００に入力、保存されたものである。
【００９４】
消費電力推定部２２は、表示対象のコンテンツの画素値と、当該コンテンツを表示する際に必要なバックライトユニット１２の輝度とに基づいて、バックライトユニット１２における消費電力（ワット数）を算定するものである。
【００９５】
まず、消費電力推定部２２は、表示対象取得部２１が取得したあるコンテンツ（例えば、静止画）を、仮に、通常通り（目標消費電力の制約なしで）表示する場合に必要な輝度を算出する。本実施形態では、全画面を白色で表示する（最も輝度が高い）時の最大輝度を１００％とした場合の割合で算出する。そして、消費電力推定部２２は、算出した輝度（％）に基づいて上記コンテンツを表示する際に通常必要なバックライトユニット１２の消費電力を算定する。このように、消費電力推定部２２が見積もった初回の推定消費電力（Ｗ）は、消費電力比較部２４に伝達される。
【００９６】
さらに、消費電力推定部２２は、輝度シミュレート部２５がシミュレートした輝度（％）で、上記コンテンツを表示する場合に消費されるバックライトユニット１２の電力を算定することもできる。この場合、消費電力推定部２２が見積もった２回目以降の推定消費電力（Ｗ）は、消費電力比較部２４に伝達される。
【００９７】
目標値取得部２３は、設定情報記憶部４１に記憶されている設定情報から、上記コンテンツを表示する際にしたがうべき目標消費電力の値を取得するものである。具体的には、図３（ｂ）に示す例では、エココンテンツ設定のフィールドが「ＯＦＦ」の場合には、消費電力設定のフィールドに格納されている固定値の目標消費電力を取得する。逆に「ＯＮ」の場合には、コンテンツに定められている目標消費電力を取得する。この場合、目標消費電力は、コンテンツに関連付けてコンテンツ記憶部４０に記憶されている。目標値取得部２３が取得した目標消費電力（Ｗ）は、消費電力比較部２４に伝達される。
【００９８】
消費電力比較部２４は、消費電力推定部２２が算定した推定消費電力（Ｗ）と、目標値取得部２３が取得した目標消費電力（Ｗ）とを比較するものである。
【００９９】
初回の推定消費電力と目標消費電力とを比較した結果、消費電力比較部２４が、推定消費電力＞目標消費電力であると判断した場合には、推定消費電力を目標消費電力まで下げる必要がある。この場合、消費電力推定部２２および輝度シミュレート部２５が、それぞれ、バックライトユニット１２の輝度のシミュレートおよび消費電力の見積もりを繰り返して、目標を達成するための輝度低減率を求める。輝度シミュレート部２５は、上記最大輝度に対して所定の割合で輝度を低減した状態を仮想的に再現し、その模擬した輝度情報を消費電力推定部２２に伝達するものである。消費電力推定部２２は、輝度シミュレート部２５がシミュレートした輝度に基づいてバックライトユニット１２における消費電力を算定することができる。
【０１００】
上記の消費電力推定部２２および輝度シミュレート部２５の試行錯誤の後、消費電力比較部２４が、２回目以降の推定消費電力≦目標消費電力であると判断した場合には、輝度シミュレート部２５がシミュレートした輝度で目標消費電力を達成することが可能であると判明する。そして、消費電力比較部２４は、その旨を輝度情報出力部２６に伝達する。さらに、輝度シミュレート部２５は、得られた模擬的な輝度情報を輝度情報出力部２６に伝達する。これにより、輝度情報出力部２６は、目標消費電力を達成するためにどれだけ輝度を下げればよいのかを知ることができ、目標消費電力を達成できる輝度情報をバックライト制御部２７に出力することが可能となる。あるいは、輝度シミュレート部２５は、初回に想定した輝度から、目標達成と判断された時点の模擬的な輝度への輝度低減率を輝度情報出力部２６に伝達してもよい。輝度情報出力部２６は、消費電力比較部２４にて目標達成可能と判断されたときの、輝度シミュレート部２５がシミュレートした輝度情報または輝度低減率に基づいて、バックライトユニット１２を制御するための実際の輝度情報をバックライト制御部２７に出力するものである。
【０１０１】
バックライト制御部２７は、輝度情報出力部２６から供給された輝度情報に基づいて、バックライトユニット１２の輝度を制御する。
【０１０２】
これにより、上記コンテンツを表示する際に、バックライトユニット１２を、目標を達成可能な輝度に調節することができる。すなわち、バックライトユニット１２の輝度を所定以下に抑え続けることができ、結果として、バックライトユニット１２を、目標消費電力を上回らない状態に維持することが可能となる。
【０１０３】
〔バックライト制御処理フロー〕
図４は、本発明の実施形態における表示制御部が行うバックライト制御処理の流れを示すフローチャートである。
【０１０４】
ある静止画を表示する動作がテレビ受像機１００において開始されると、図４に示すとおり、表示対象取得部２１は、コンテンツ記憶部４０から、表示対象となる静止画を取得する（Ｓ１０１）。消費電力推定部２２は、表示対象取得部２１が取得した静止画の画素値と、通常モード時に当該静止画を表示する際に必要なバックライトユニット１２の輝度とに基づいて、バックライトユニット１２の推定消費電力（例えば、８０Ｗ）を算定する（Ｓ１０２）。
【０１０５】
一方、目標値取得部２３は、設定情報記憶部４１の設定情報を参照し、そこから、目標消費電力を取得する。ここでは、一例として、消費電力設定のフィールドから固定値の目標消費電力（例えば、５０Ｗ）を取得するものとする（Ｓ１０３）。
【０１０６】
次に、消費電力比較部２４は、消費電力推定部２２が算定した推定消費電力（８０Ｗ）と、目標値取得部２３が取得した目標消費電力（５０Ｗ）とを比較する。ここに示す例では、推定消費電力が３０Ｗ上回っているので（Ｓ１０４においてＹＥＳ）、Ｓ１０７以降の目標消費電力達成のための、輝度低減率算出ステップに移行する。
【０１０７】
反対に、上記推定消費電力が上記目標消費電力以下の場合には（Ｓ１０４においてＮＯ）、通常のバックライト制御にて既に目標を達成できることを意味しているので、バックライトの輝度をさらに低減させる必要はない。したがって、輝度情報出力部２６は、Ｓ１０２にて消費電力推定部２２が初回推定したときの輝度に基づいて、輝度情報をバックライト制御部２７に出力する（Ｓ１０５）。バックライト制御部２７は、輝度情報出力部２６が出力した輝度情報にしたがって、バックライトユニット１２を制御する（Ｓ１０６）。
【０１０８】
Ｓ１０７以降の輝度低減率算出ステップでは、まず、輝度シミュレート部２５が、Ｓ１０２にて消費電力推定部２２が初回推定したときの輝度から、所定％低減した輝度をシミュレートする（Ｓ１０７）。低減率を％にするのかは適宜の判断で行われる。
【０１０９】
続いて、消費電力推定部２２は、輝度シミュレート部２５が初回の輝度を低減させてシミュレートした輝度と、上記静止画の画素値とに基づいて、推定消費電力を再度算定する（Ｓ１０８）。
【０１１０】
消費電力比較部２４は、Ｓ１０８の上記推定消費電力が、Ｓ１０３の上記目標消費電力以下になったか否かを判定する（Ｓ１０９）。そして、消費電力比較部２４が、目標が達成されたと判定した場合には（Ｓ１０９においてＹＥＳ）、輝度シミュレート部２５は、Ｓ１０７における現時点でのシミュレートした輝度に基づいて、どの程度輝度を低減したのかを示す輝度低減率を輝度情報出力部２６に伝達する。輝度情報出力部２６は、上記輝度低減率に基づいて、輝度情報を出力し、これをバックライト制御部２７に出力する（Ｓ１１０）。バックライト制御部２７は、輝度情報出力部２６が出力した輝度情報にしたがって、バックライトユニット１２を制御する（Ｓ１０６）。一方、消費電力比較部２４が、上記推定消費電力がまだ上記目標消費電力に達していないと判定した場合には（Ｓ１０９においてＮＯ）、Ｓ１０７およびＳ１０８の処理を再度実行し、目標消費電力を達成するための輝度を得られるまで上記処理を繰り返す。
【０１１１】
なお、上述の説明では、コンテンツが静止画である場合のバックライト制御方法について説明したが、表示制御部１は、コンテンツが動画である場合にも、目標消費電力を達成するためのバックライト制御を行うことが可能である。
【０１１２】
この場合、消費電力推定部２２は、動画が含むすべてのまたは一部のコマ（静止画）の画素値と、該動画を再生するのに必要なバックライトユニット１２の輝度と、該動画の再生時間とに基づいて、バックライトユニット１２における推定消費電力を算定する。コンテンツが動画である場合にその動画の画素値をどのように得て、推定消費電力を算定するのかは、特に限定されない。例えば、動画の各コマの画素値の平均値を用いてもよいし、全コマのうち最大の輝度を有するコマの画素値を用いてもよい。あるいは、消費電力推定部２２は、上記動画の再生時間分を仮に全画面白色で表示した場合を想定し、その場合に消費される電力を、推定消費電力として見積もってもよい。
【０１１３】
≪実施形態２≫
上述の実施形態では、テレビ受像機１００のバックライトユニット１２の輝度を調整することにより、目標消費電力を達成する構成について説明してきた。しかし、目標消費電力を達成するためのバックライト制御方法は、上述の例に限定されない。
【０１１４】
バックライトユニット１２が、ローカル・ディミングが可能なように構成されている場合には、さらに、表示部２に表示するコンテンツの表示サイズを変更することによってもバックライトユニット１２の消費電力を抑えることが可能である。
【０１１５】
ローカル・ディミングでは、既に述べたとおり、発光面の全体ではなく任意の領域で部分的にバックライトの点灯と消灯とを制御することができる。したがって、何も表示しない部分や黒色の領域についてのみ部分的にバックライトを消灯することが可能である。そして、バックライトを消灯した分だけ、消費電力を抑えることができる。このように、ローカル・ディミング技術を用いれば、表示内容の視覚的効果を犠牲にすることなく、効果的に消費電力を抑えることが可能となる。すなわち、図５に基づき説明すると以下のとおりである。
【０１１６】
図５は、本実施形態における、コンテンツの表示サイズの変更に基づく、バックライト制御方法の概念を説明する図である。図５に示すとおり、静止画Ｐを表示画面全体に表示する場合には、バックライトユニット１２の発光面全体が点灯領域Ｗとなる。一方、静止画Ｐの表示サイズを５０％縮小すると、表示画面には、何も表示されない領域Ｅができる。ここで、何も表示されない領域Ｅには、バックライトは不要であるので、領域Ｅについてバックライトを消灯することができる。このようにすれば、発光面の半分の面積を消灯領域Ｂが占めるので、バックライトに係る消費電力を５０％低減することが可能となる。
【０１１７】
以下では、輝度制御に加えて、コンテンツの表示サイズを調整することによりバックライトの消灯領域を制御して、目標消費電力を達成するテレビ受像機１００および表示制御装置の構成について説明する。
【０１１８】
〔テレビ受像機の構成−詳細〕
図６は、本発明の実施形態における表示制御装置としての、テレビ受像機１００の表示制御部６の要部構成を示すブロック図である。図６に示すとおり、テレビ受像機１００の表示制御部６は、図１に示す表示制御部１と比べて、さらに、表示サイズシミュレート部２８および消灯領域出力部２９を備える構成である。図６の各構成要素に付された符号は、図１の各構成要素に付された符号に対応しており、同じ符号は、同じ構成要素を示している。したがって、上述の各実施形態で既に説明した構成要素についての説明は繰り返さない。
【０１１９】
表示サイズシミュレート部２８は、表示対象取得部２１が取得した表示対象のコンテンツの表示サイズを仮想的に縮小し、それを表示部２に表示した場合の、コンテンツの表示位置の座標またはコンテンツ表示領域の面積を消費電力推定部２２に伝達するものである。消費電力推定部２２は、表示サイズシミュレート部２８がシミュレートしたコンテンツの表示サイズに基づいて、表示画面の非表示領域すなわちバックライト消灯領域の面積を算出して、バックライトユニット１２における消費電力を算定することができる。
【０１２０】
本実施形態では、消費電力推定部２２は、輝度シミュレート部２５がシミュレートした輝度情報と、表示サイズシミュレート部２８がシミュレートした表示サイズとの両方に基づいて、バックライトユニット１２の推定消費電力を出力する。消費電力推定部２２が出力した、輝度情報と表示サイズとに基づく推定消費電力は、消費電力比較部２４によって、目標消費電力と比較される。
【０１２１】
消灯領域出力部２９は、縮小されたコンテンツを表示する場合に生じる非表示領域を特定し、バックライトの消灯領域情報をバックライト制御部２７に出力するものである。より詳細には、消費電力比較部２４によって上記推定消費電力が目標消費電力を達成できると判断されたときの、シミュレートされたコンテンツ縮小率および表示位置に基づいて、消灯領域出力部２９は、消灯領域を特定する。
【０１２２】
上記構成によれば、バックライトユニット１２のバックライトの輝度を下げるだけでなく、コンテンツの表示サイズを縮小して、バックライトの消灯領域を増やすことにより、バックライトの消費電力をさらに抑えることができる。しかも、目標達成のために輝度が下がりすぎて視認性が損なわれるおそれがある場合には、輝度を下げる代わりに表示サイズを縮小して消灯領域を増やせるので、上記不都合を回避することが可能となる。
【０１２３】
さらに、表示制御部６は、調停部３０を備えていてもよい。調停部３０は、本実施形態において、目標消費電力を、輝度の低減と表示サイズの縮小との両方の手段（電力削減ツール）で達成する場合に、削減すべき消費電力を各手段がどれだけ請け負うのかを調整するものである。
【０１２４】
例えば、輝度の低減と表示サイズの縮小とをバランスよく行いたいとユーザが希望する場合には、ユーザは、削減すべき消費電力を、２つの手段で均等に請け負うように設定することが可能である。具体的には、図３（ａ）に示す操作画面にて、ユーザが、消費電力削減ツール設定の項目を輝度：５０％、表示サイズ：５０％に設定する。これを受けて、設定受付部２０は、図３（ｃ）に示すとおり、設定情報記憶部４１の消費電力削減ツール設定のフィールドに、「輝度：５０、表示サイズ：５０」の値を格納する。コンテンツを目標消費電力まで抑える表示制御を表示制御部６が行うとき、調停部３０は、設定情報記憶部４１に記憶されている、上記フィールドの上記値を参照する。
【０１２５】
例えば、削減すべき消費電力が３０Ｗである場合には、調停部３０は、その５０％の１５Ｗを輝度の調整で削減できるように、輝度シミュレート部２５および消費電力推定部２２に指示を送るとともに、残りの５０％の１５Ｗを表示サイズの変更で削減できるように、表示サイズシミュレート部２８および消費電力推定部２２に指示を送る。
【０１２６】
これにより、２つの手段に任意の重み付けを付加して、バックライトユニット１２の消費電力を抑えることが可能となる。
【０１２７】
また、例えば、ユーザは、輝度を犠牲にせずに専ら表示サイズを縮小することで消費電力を抑えたいと希望する場合には、図３（ａ）に示すバーを表示サイズ側が１００％に近づくように操作すればよい。これにより、表示制御部６は、多くの消費電力削減を、コンテンツ表示サイズの縮小によって、実現することが可能となる。
【０１２８】
≪実施形態３≫
上述の各実施形態では、ユーザが設定した目標消費電力にしたがってバックライトを制御する表示制御部（表示制御装置）について説明した。本実施形態では、表示対象となるコンテンツごとに定められている目標消費電力にしたがってバックライトの制御を行う表示制御装置について説明する。また、目標消費電力が関連付けられたコンテンツ生成するコンテンツ生成装置についても説明する。
【０１２９】
〔エココンテンツ表示システムの概要〕
図７は、本発明の実施形態におけるエココンテンツ表示システムの概要を示す図である。図７に示すエココンテンツ表示システムは、本発明の表示制御装置（表示制御部）を搭載する、コンテンツを表示するための表示装置と、該表示装置に表示するコンテンツを生成するコンテンツ生成装置とを含んでいる。図７に示す例では、エココンテンツ表示システム７００は、表示装置としての複数のテレビ受像機１００ａ、テレビ受像機１００ｂと、表示装置としてのデジタルフォトフレーム１０１と、コンテンツ生成装置としてのコンテンツサーバ２００と、デジタルカメラ２０１と、ホームサーバ２０２とを含んでいる。ここで、テレビ受像機１００ａ、テレビ受像機１００ｂ、デジタルフォトフレーム１０１、および、ホームサーバ２０２は、家庭内ＬＡＮ（Local Area Network）８を介して、互いに有線または無線接続されており、これらの装置によってホームネットワークが構築されている。該ホームネットワークの各装置は、家庭内ＬＡＮ８およびインターネット７を介して、コンテンツサーバ２００などの外部装置と通信することが可能である。図７に示すエココンテンツ表示システム７００の構成は、一例であって、本発明を限定するものではない。
【０１３０】
テレビ受像機１００ａ、テレビ受像機１００ｂは、既述の表示制御部１または表示制御部６を搭載する表示装置である。その構成および動作は、図１〜図７を参照しながら説明したとおりである。なお、本実施形態では、テレビ受像機１００ａおよびテレビ受像機１００ｂは、互いに機種が異なっている。
【０１３１】
デジタルフォトフレーム１０１は、デジタル画像を写真立ての写真のように掲示するものであり、図１に示す表示制御部１、または、図６に示す表示制御部６を搭載する表示装置である。その構成は、図１、図２および図６に示すテレビ受像機１００とほぼ同様である。デジタルフォトフレーム１０１は、通常の写真立てと同様の形状を有し、写真を掲示する部分にデジタル画像を表示するための表示部２を備えている。本実施形態では、デジタルフォトフレーム１０１は、ＪＰＥＧ形式の静止画コンテンツを表示部２に表示する。
【０１３２】
図２に示すテレビ受像機１００の構成と異なる点としては、デジタルフォトフレーム１０１は、放送データ受信部１３は備えていない点である。デジタルフォトフレーム１０１は、コンテンツ取得部５としての外部インターフェース１４を介して、ＳＤカードなどの着脱可能な外部記録媒体からＪＰＥＧの静止画が読み込むことが可能である。また、外部インターフェース１４は、各種ケーブル端子を有していてもよく、この場合には、デジタルカメラ２０１やデジタルビデオカメラなどが撮像したコンテンツを各種ケーブルを介して取得してもよい。また、通信部１５が無線／有線通信を行って、他の通信装置（ホームサーバ２０２、コンテンツサーバ２００、または、携帯電話など）から静止画を受信することも可能である。
【０１３３】
図７に示す、コンテンツサーバ２００、デジタルカメラ２０１、および、コンテンツサーバ２００は、上述の各表示装置に表示するコンテンツを生成し供給するコンテンツ生成装置である。
【０１３４】
コンテンツサーバ２００は、コンテンツサービス業者が運営するコンテンツ配信サービスを実行するものである。コンテンツサーバ２００は、インターネット７を介して、クライアントの各表示装置にコンテンツを供給する。例えば、映画などの動画コンテンツや、写真などの静止画コンテンツを供給する。
【０１３５】
デジタルカメラ２０１は、被写体を撮像して写真データを生成するものである。本実施形態では、デジタルカメラ２０１は、内蔵する記憶部にＪＰＥＧ形式の撮像した写真データを保存し、ケーブルを介してデジタルフォトフレーム１０１、テレビ受像機１００ａ（１００ｂ）に静止画コンテンツを供給する。あるいは、着脱可能な外部記録媒体に写真データを保存して、それを各表示装置に読み取らせてもよい。
【０１３６】
ホームサーバ２０２は、ホームネットワーク内の図示しない録画再生装置などが録画したコンテンツを家庭内ＬＡＮ８を介して取得し、保存するものである。そして、要求に応じてホームネットワーク内の各表示装置に自身が保存するコンテンツを供給する。
【０１３７】
上述のとおり、エココンテンツ表示システム７００の各表示装置は、ホームネットワーク内外から取得されたコンテンツを、目標消費電力に抑えつつ、自装置の表示部２に表示する。本実施形態では、表示装置の設定情報記憶部４１における、エココンテンツ設定のフィールド（図３（ｂ）参照）は、「ＯＮ」になっているものとする。すなわち、コンテンツには、そのコンテンツに応じた目標消費電力が関連付けられている（埋め込まれている）ものとし、各表示装置の表示制御部１（６）は、コンテンツに応じた目標消費電力を参照して、動的にバックライトユニット１２の制御を行うものとする。このように目標消費電力を含むコンテンツをここではエココンテンツと称する。エココンテンツは、各表示装置のコンテンツ記憶部４０に保存され、エココンテンツに含まれる目標消費電力の値は、表示制御装置の目標値取得部２３によって取得される。
【０１３８】
以下では、エココンテンツを生成する、コンテンツ生成装置（コンテンツサーバ２００、デジタルカメラ２０１、ホームサーバ２０２）の構成およびエココンテンツのデータ構造についてより詳しく説明する。
【０１３９】
〔コンテンツ生成装置の構成−詳細〕
図８は、本発明の実施形態におけるコンテンツ生成装置の要部構成を示すブロック図である。以下では、図８のコンテンツ生成装置を、コンテンツサーバ２００に適用した場合について説明する。デジタルカメラ２０１およびホームサーバ２０２としてのコンテンツ生成装置も図８に示す構成と同様である。
【０１４０】
図８に示すとおり、コンテンツサーバ２００は、少なくとも制御部５０と記憶部５１とを備える構成となっている。また、コンテンツサーバ２００は、さらに、操作部５２と表示部５３とを備えていてもよい。
【０１４１】
制御部５０は、コンテンツサーバ２００が備える各部を統括制御するものである。制御部５０は、機能ブロックとして、少なくとも、コンテンツ取得部６０、目標消費電力決定部６１およびエココンテンツ生成部６２を備えている。さらに、制御部５０は、下限値設定部６３および輝度シミュレート部６４を備えていてもよい。
【０１４２】
記憶部５１は、制御部５０が実行する制御プログラム、ＯＳプログラム、および、制御部５０が、コンテンツサーバ２００が有する各種機能を実行するときに読み出す各種データを記憶するものである。記憶部５１は、コンテンツサーバ２００が生成または取得したコンテンツを記憶するためのものである。しかしこれに限定されず、さらに、機種情報記憶部７０、および、輝度下限値記憶部７１を含んでいてもよい。
【０１４３】
操作部５２は、コンテンツサーバ２００を動作させるための信号をユーザが入力するための入力デバイスである。コンテンツサーバ２００の操作部５２は、例えば、キーボード、マウスなどで構成されている。デジタルカメラ２０１においては、操作部５２は、本体に備えられている各種ボタンなどで構成される。ホームサーバ２０２の操作部５２は、キーボード、マウスなどで構成されていてもよいし、あるいは、テレビ受像機１００ａ（１００ｂ）のリモコンが操作部５２として機能してもよい。
【０１４４】
表示部５３は、コンテンツサーバ２００が取得したコンテンツなどの各種情報を表示する表示デバイスである。コンテンツ生成装置に応じて適宜の表示デバイスが用いられる。表示部５３は、例えば、ＬＣＤ（液晶ディスプレイ）で実現される。
【０１４５】
なお、機能ブロックとして示される制御部５０の各部は、ＣＰＵ（central processing unit）がＲＯＭ（read only memory）等の記憶装置に記憶されているエココンテンツ生成用のプログラムをＲＡＭ（random access memory）等に読み出して実行することにより、本願発明のコンテンツ生成装置を実現することができる。
【０１４６】
制御部５０のコンテンツ取得部６０は、表示装置に供給すべきコンテンツ８０を取得するものである。コンテンツ取得部６０が上記コンテンツをどこからどのように取得するのかについては特に限定されない。例えば、コンテンツサーバ２００においては、コンテンツ取得部６０は、コンテンツサービス業者が適宜の手段によりコンテンツサーバ２００に入力したコンテンツを記憶部５１から取得してもよい。デジタルカメラ２０１においては、コンテンツ取得部６０は、被写体を撮像する撮像部から静止画コンテンツを取得してもよい。あるいは、ホームサーバ２０２においては、コンテンツ取得部６０は、通信部を介して、録画再生装置から動画コンテンツを取得してもよい。
【０１４７】
目標消費電力決定部６１は、コンテンツ取得部６０が取得したコンテンツに対して付与する、当該コンテンツを表示する際の目標消費電力を決定するものである。具体的には、ユーザは、指定する目標消費電力８１を入力し、目標消費電力決定部６１は、目標消費電力８１にしたがって目標消費電力を決定する。あるいは、機種情報記憶部７０に記憶されている、あらかじめ定められた目標消費電力の値を参照して、コンテンツに付与すべき目標消費電力を決定してもよい。
【０１４８】
エココンテンツ生成部６２は、コンテンツ取得部６０が取得したコンテンツに、目標消費電力決定部６１が決定した目標消費電力の値を関連付けて、あるいは、該コンテンツに埋め込んで、エココンテンツを生成するものである。具体例を挙げると、エココンテンツ生成部６２は、コンテンツ取得部６０がＪＰＥＧ形式の静止画を取得した場合には、該静止画に含まれるＥＸＩＦ（Exchangeable image file format）領域に、決定された目標消費電力を追加する。エココンテンツ生成部６２によって生成された、目標消費電力を含むエココンテンツ８２は、適宜の出力手段を介して表示装置に供給される。コンテンツサーバ２００においては、エココンテンツ８２は、通信部を介して送信される。デジタルカメラ２０１においては、エココンテンツ８２は、着脱可能な外部記録媒体に保存される。あるいは、ケーブルを介して表示装置に出力される。
【０１４９】
〔エココンテンツのデータ構造〕
図９は、エココンテンツ８２が静止画である場合のデータ構造を概略的に示したデータ構造図である。図９に示すとおり、エココンテンツ８２は、静止画領域８３０と、ＥＸＩＦ領域８００とを含んで構成された、ＪＰＥＧ形式のデータである。
【０１５０】
静止画領域８３０は、表示対象である静止画のコンテンツ８０を圧縮して格納するための領域である。一方、ＥＸＩＦ領域８００は、静止画領域８３０に格納された静止画に関するメタ情報を格納するための領域である。このＥＸＩＦ領域８００には、デジタルカメラなどの製造メーカが仕様を自由に定めて利用することができる、メーカノート領域８１０が含まれている。
【０１５１】
静止画領域８３０に格納されるコンテンツ８０を、低消費電力モードで表示装置に表示させるために、本実施形態では、目標消費電力がメーカノート領域８１０に格納されている。より詳細には、エココンテンツ生成部６２は、目標消費電力を格納するための領域として、メーカノート領域８１０に特定の領域（メタデータ領域８２０）を確保する。そして、エココンテンツ生成部６２は、例えば、「目標消費電力：４０Ｗ」というように目標消費電力決定部６１から伝達された目標消費電力８１の値をメタデータ領域８２０に書き込む。
【０１５２】
テレビ受像機１００などの各表示装置は、エココンテンツ８２を表示する際、メタデータ領域８２０の目標消費電力８１を参照し、それにしたがって、バックライトユニット１２の制御を実行することができる。すなわち、目標消費電力８１を達成すべく、バックライトユニット１２の輝度を低減させる制御を実行する。
【０１５３】
ここでは、目標消費電力をメーカノート領域に格納する例について記載したが、目標消費電力を格納する領域は、上記メーカノート領域に限定されない。目標消費電力を、他のアプリケーション領域やコメント領域などに格納しても構わない。また、目標消費電力を含むエココンテンツ８２の形式は、ＪＰＥＧ形式のデータに限定されるものではない。
【０１５４】
エココンテンツ生成部６２は、あらゆる形式においてもエココンテンツ８２を生成することが可能である。例えば、エココンテンツ生成部６２は、コンテンツにＸＭＬ形式やＣＳＶ形式などの構造化データとして目標消費電力をコンテンツに関連付けることができる。また、エココンテンツ生成部６２は、ストリーミング動画などのコンテンツをネットワークを介して配信する場合には、ＨＴＴＰのヘッダ情報に目標消費電力データを追加することができる。さらに、エココンテンツ生成部６２は、コンテンツ生成装置が、地上デジタル、衛生デジタル、ケーブル放送などの放送波をブロードキャストする装置である場合には、番組放送波に付随するデータ放送に目標消費電力データを追加することができる。
【０１５５】
〔機種情報について〕
コンテンツ生成装置は、さらに、記憶部５１に機種情報記憶部７０を備えていてもよく、目標消費電力決定部６１は、機種情報記憶部７０に記憶された機種情報を用いて、コンテンツに埋め込む目標消費電力を決定してもよい。
【０１５６】
図１０は、機種情報記憶部７０に記憶されている機種情報のデータ構造の一例を示す図である。機種情報とは、表示装置の機種ごとに、当該表示装置の表示性能にかかる情報が記憶されたものである。図１０に示す例では、各表示装置における品質保証最小電力値が表示装置（ここでは、テレビ受像機）の機種に関連付けて記憶されている。品質保証最小電力値とは、その表示装置においてコンテンツを表示する際に、バックライトユニット１２に必要となる最小限の消費電力を示す。つまり、品質保証最小電力値を下回る消費電力になると、バックライトユニット１２の輝度が下がり過ぎて、コンテンツの再現について最低限の品質を保証できないという意味である。例えば、Ａ社製のテレビ受像機でＬＣ−ＰＡ６５Ｓの機種では、コンテンツ表示のためには、最低でも１００Ｗは電力を消費しなければならない。
【０１５７】
目標消費電力決定部６１は、コンテンツ供給先があらかじめ分かっている場合には、供給先の機種に応じて、品質保証最小電力値を下回らないように目標消費電力を決定する。これにより、上記目標消費電力を含むエココンテンツを処理する表示装置においては、目標消費電力を達成しても、必要最低限の品質を確保してエココンテンツを表示することが可能となる。
【０１５８】
あるいは、コンテンツがどの機種のテレビ受像機に供給されるのか分からない場合には、機種情報を図１０に示すテーブルのままコンテンツのメタデータ領域８２０（図９）に埋め込んでもよい。目標消費電力決定部６１は、ＸＭＬ、ＣＳＶなどのデータ形式を用いて、上記機種情報のテーブルをコンテンツに付加する。エココンテンツを受信した表示装置は、そこに埋め込まれているテーブルを参照して、自装置の機種に応じた品質保証最小電力値を参照する。これにより、表示装置は、目標消費電力を達成するためにバックライトを制御するとき、上記品質保証最小電力値を下回らないように制御を行って品質を保つことができる。
【０１５９】
機種情報において、さらに、品質保証最大電力値が機種ごとに関連付けられていてもよい。バックライトユニット１２の輝度は、高ければ高いほどコンテンツの再現品質が良くなるわけではなく、一定以上の輝度を超えると品質の向上は望めない。つまり、一定の消費電力を超えると、輝度が上がっても品質が向上されず、電力が無駄に消費されてしまうことになる。そのような一定の消費電力値を品質保証最大電力値としてあらかじめ定めておく。
【０１６０】
目標消費電力決定部６１は、コンテンツ供給先があらかじめ分かっている場合には、供給先の機種に応じて、品質保証最大電力値を上回らないように目標消費電力を決定する。あるいは、図１０に示すテーブルをそのままコンテンツに含めてもよい。これにより、表示装置は、目標消費電力を達成するためにバックライトを制御すれば、上記品質保証最大電力値を上回ることがなくなるので、さらに無駄な消費電力を抑えつつ、品質を保つことができる。
【０１６１】
図１１（ａ）および（ｂ）は、テレビ受像機１００においてエココンテンツを再生する際に、エココンテンツに埋め込まれた品質保証最小電力値および品質保証最大電力値に基づいて、目標消費電力をユーザが設定するための操作画面の一例を示す図である。
【０１６２】
テレビ受像機１００の表示制御部１（６）において、まず、目標値取得部２３は、エココンテンツ８２に埋め込まれている機種情報のテーブルを取得する。そして、自装置の機種に対応する、品質保証最小電力値、または、品質保証最小電力値および品質保証最大電力値を取得する。目標値取得部２３は、自装置の機種に、例えば「品質保証最小電力値：５０Ｗ」のみが関連付けられている場合には、図１１（ａ）に示す操作画面を表示部２に表示して、ユーザの設定を受け付ける。また、自装置の機種に、例えば「品質保証最小電力値：５０Ｗ、品質保証最大電力値：４００Ｗ」が関連付けられている場合には、図１１（ｂ）に示す操作画面を表示部２表示して、ユーザの設定を受け付ける。さらに、推奨される目標消費電力を具体的なワット数でユーザに提示してもよい。これにより、ユーザは、品質保証最小電力値以上、品質保証最大電力値以下の適切な範囲で目標消費電力を任意に設定することが可能となる。
【０１６３】
ユーザが目標消費電力を設定した後、その値は設定受付部２０を介して目標値取得部２３によって取得され、以降、既に説明した手順にてバックライトユニット１２の制御が行われる。
【０１６４】
〔輝度下限値について〕
図８のコンテンツ生成装置の説明に戻る。コンテンツ生成装置は、さらに、制御部５０において下限値設定部６３を、記憶部５１に輝度下限値記憶部７１を備えていてもよい。
【０１６５】
下限値設定部６３は、表示装置においてコンテンツが違和感なく見えるために最低限必要な輝度値、すなわち、輝度下限値をコンテンツごとに設定するものである。
【０１６６】
輝度下限値記憶部７１は、上記コンテンツの輝度下限値を記憶するものである。輝度下限値記憶部７１に記憶される輝度下限値は、コンテンツごとにコンテンツ生成装置のユーザがあらかじめ定めたものであってよい。あるいは、輝度をシミュレートして、そのコンテンツに必要な最低限の輝度値を割り出した結果が輝度下限値記憶部７１に記憶されてもよい。輝度をシミュレートするための輝度シミュレート部６４については後述する。
【０１６７】
まず、下限値設定部６３が、輝度下限値記憶部７１に記憶されているコンテンツごとの輝度値に基づいて、これから生成しようとしているコンテンツの輝度下限値を設定する。そして、エココンテンツ生成部６２は、下限値設定部６３が設定した輝度下限値を、目標消費電力決定部６１が決定した目標消費電力とともにコンテンツに関連付けて（メタデータ領域８２０に埋め込んで）、エココンテンツ８２を生成する。
【０１６８】
これにより、エココンテンツ８２を処理する表示装置は、上記輝度下限値を参照して、コンテンツの品質を犠牲にしないように、適切にバックライトユニット１２を制御することが可能となる。例えば、目標消費電力を達成するべくバックライトユニット１２の輝度を下げ続けたが、輝度下限値に達しても消費電力を抑え切れなかった場合に、表示装置は、輝度を下げる以外の手法に切り替えて、目標消費電力を達成する動作に移るなどの制御を実行することができる。このようにすれば、目標消費電力を達成するためにコンテンツの視認性が犠牲されることを回避することが可能となる。
【０１６９】
〔輝度シミュレーションについて〕
上述のとおり、コンテンツ生成装置は、制御部５０において輝度シミュレート部６４を備えていてもよい。これにより、コンテンツ生成装置のユーザは、エココンテンツに埋め込む目標消費電力の値を、あらかじめ任意に指定することが可能となる。
【０１７０】
輝度シミュレート部６４は、表示装置におけるバックライトユニット１２の輝度を機種ごとにシミュレートし、シミュレートした輝度で表示装置にコンテンツを表示した場合にどのように視認されるのかを、自装置の表示部５３に再現するものである。
【０１７１】
ユーザは、表示部５３に再現されたコンテンツの見易さを確認し、シミュレートされる輝度を徐々に下げながら、妥当な視認性を得られる限度を判断する。操作部５２を操作して（例えば、ＯＫボタンを押すなどして）、その旨を輝度シミュレート部６４に通知する。輝度シミュレート部６４は、ユーザから指示された時点でシミュレートした輝度を輝度下限値として輝度下限値記憶部７１に記憶する。これにより、エココンテンツ生成部６２は、ユーザが任意で指定した輝度下限値をコンテンツに埋め込むことができる。
【０１７２】
なお、上述の説明では、バックライトユニット１２の輝度について下限値を考慮する構成について説明したが、これに限らず、コンテンツの表示サイズを縮小するときに、表示サイズの下限値または縮小率の限界値を考慮してバックライトユニット１２の制御を行ってもよい。
【０１７３】
また、輝度シミュレート部６４は、表示装置における所定の推定消費電力に基づいてシミュレートした輝度にてコンテンツを表示部５３に再現するとともに、そのときの上記推定消費電力を表示部５３に表示してもよい。図１２（ａ）および（ｂ）は、輝度をシミュレートしてユーザが目標消費電力を指定するための操作画面の一例を示す図である。
【０１７４】
図１２（ａ）および（ｂ）に示すとおり、コンテンツ生成装置の輝度シミュレート部６４は、表示部５３に、シミュレートした輝度で表示装置に表示されたコンテンツの状態を再現する（静止画Ｐ）。そして、静止画Ｐとともに、表示装置における静止画Ｐの表示に必要な推定消費電力を表示する。ユーザは、静止画Ｐの妥当な視認性と、推定消費電力の妥当な値とを確認した場合には、上記推定消費電力を目標消費電力としてコンテンツに埋め込むように、目標消費電力決定部６１に対して指示することができる。具体的には、ユーザは、操作部５２を用いて、目標消費電力８１の信号を目標消費電力決定部６１に入力する。目標消費電力決定部６１は、目標消費電力を埋め込む指示を受け付けた場合には、当該目標消費電力の値をエココンテンツ生成部６２に伝達する。
【０１７５】
上記コンテンツ生成装置の構成によれば、コンテンツ生成装置のユーザは、任意の目標消費電力を埋め込んだエココンテンツを生成することが可能となる。
【０１７６】
次に、上述のように生成されたエココンテンツ８２を処理して、目標消費電力を達成しつつ、エココンテンツを表示するテレビ受像機１００（デジタルフォトフレーム１０１）のバックライト制御処理の流れについて説明する。以下では、エココンテンツ８２は、ＥＸＩＦ領域８００を有する静止画コンテンツであるものとし、目標消費電力および輝度下限値とがメタデータ領域８２０に埋め込まれているものとして、バックライト制御処理の流れを説明する。また、図６に示す表示制御部６を搭載するテレビ受像機１００が上記エココンテンツ８２を処理するものとしてバックライト制御処理の流れを説明する。
【０１７７】
〔バックライト制御処理フロー〕
図１３は、本発明の実施形態における表示制御部が行うバックライト制御処理の流れを示すフローチャートである。
【０１７８】
ある静止画を表示する動作がテレビ受像機１００において開始されると、図１３に示すとおり、表示対象取得部２１は、コンテンツ記憶部４０から、表示対象となる静止画（図９のエココンテンツ８２）を取得する（Ｓ２０１）。消費電力推定部２２は、表示対象取得部２１が取得した静止画の画素値と、通常モード時に当該静止画を表示する際に必要なバックライトユニット１２の輝度とに基づいて、バックライトユニット１２の推定消費電力を算定する（Ｓ２０２）。
【０１７９】
一方、目標値取得部２３は、上記静止画表示時に達成すべき目標消費電力を取得する。具体的には、目標値取得部２３は、設定情報記憶部４１のエココンテンツ設定のフィールド（図３（ｂ））を参照する。該フィールドの値が「ＯＮ」の場合（Ｓ２０３においてＹＥＳ）、静止画のＥＸＩＦ領域に目標消費電力が埋め込まれている場合には（Ｓ２０４においてＹＥＳ）、目標値取得部２３は、そこから目標消費電力を取得する（Ｓ２０５）。もしくは、エココンテンツ設定のフィールドの値が「ＯＦＦ」の場合（Ｓ２０３においてＮＯ）またはＥＸＩＦ領域に目標消費電力が埋め込まれていない場合には（Ｓ２０４においてＮＯ）、目標値取得部２３は、設定情報記憶部４１の消費電力設定のフィールドから固定値の目標消費電力を取得する（Ｓ２０６）。
【０１８０】
次に、消費電力比較部２４は、消費電力推定部２２が算定した推定消費電力と、目標値取得部２３が取得した目標消費電力とを比較する。推定消費電力が既に目標消費電力を達成している場合には（Ｓ２０７においてＮＯ）、図４に示すＳ１０５以降のように、バックライト制御部２７によって、初回推定時の輝度にてバックライトユニット１２が制御される。
【０１８１】
反対に、推定消費電力が、目標消費電力を未達成の場合には（Ｓ２０７においてＹＥＳ）、Ｓ２０８以降の目標消費電力達成のための、輝度低減率算出ステップ、表示サイズ縮小率算出ステップに移行する。
【０１８２】
まず、輝度シミュレート部２５は、表示対象取得部２１が取得した静止画のＥＸＩＦ領域に埋め込まれている輝度下限値を取得する（Ｓ２０８）。輝度シミュレート部２５は、上記輝度下限値を下回らないように、輝度を低減させていく（Ｓ２０９）。続いて、消費電力推定部２２は、輝度シミュレート部２５がシミュレートした輝度に基づいて、推定消費電力を再計算する（Ｓ２１０）。
【０１８３】
消費電力比較部２４は、Ｓ２１０の上記推定消費電力が、上記目標消費電力以下になったか否かを判定する（Ｓ２１１）。そして、消費電力比較部２４が、目標が達成されたと判定した場合には（Ｓ２１１においてＹＥＳ）、輝度シミュレート部２５は、現時点でのシミュレート輝度に基づいて、輝度低減率を輝度情報出力部２６に伝達する。輝度情報出力部２６は、上記輝度低減率に基づいて求めた輝度情報をバックライト制御部２７に出力する（Ｓ２１２）。バックライト制御部２７は、上記輝度情報にしたがってバックライトユニット１２を制御する（Ｓ２１３）。
【０１８４】
一方、消費電力比較部２４が、目標消費電力未達成と判定した場合には（Ｓ２１１においてＮＯ）、輝度シミュレート部２５は、現時点でのシミュレート輝度が輝度下限値以下になっているか否かを判定する（Ｓ２１４）。
【０１８５】
ここで、現時点でのシミュレート輝度が輝度下限値を上回っている場合には（Ｓ２１４においてＮＯ）、まだシミュレートして輝度を下げる余地があるものと輝度シミュレート部２５が判断し、Ｓ２０９以降のシミュレーションを繰り返す。反対に、現時点でのシミュレート輝度が輝度下限値以下の場合には（Ｓ２１４においてＹＥＳ）、Ｓ２１５以降の表示サイズ縮小率算出ステップに移行する。
【０１８６】
シミュレート輝度≦輝度下限値ということは、シミュレーションによって下げていた輝度が、輝度下限値に達したということであり、これ以上輝度を下げると、消費電力削減のためにコンテンツの視認性が損なわれてしまうことを意味する。したがって、表示制御部６では、輝度を限界まで下げ切った後、それでも目標消費電力を達成できない場合には、輝度を下げること以外の手法で、目標消費電力を達成する制御に切り替える。ここでは、一例として、静止画の表示サイズを縮小してバックライトユニット１２の消灯領域を増やすことにより消費電力を抑える。
【０１８７】
まず、消費電力推定部２２は、Ｓ２１４においてＹＥＳと判定された時点での、推定消費電力およびシミュレート輝度を取得する（Ｓ２１５）。次に、表示サイズシミュレート部２８は、表示対象取得部２１が取得した現時点での静止画の表示サイズを所定％縮小した静止画をシミュレートする（Ｓ２１６）。
【０１８８】
次に、消費電力推定部２２は、シミュレートされたサイズにて上記静止画を縮小して表示した場合の推定消費電力を算定する（Ｓ２１７）。具体的には、Ｓ２１５にて取得したシミュレート輝度で、かつ、Ｓ２１６にてシミュレートされた表示サイズで、上記静止画が表示された場合の、表示装置のバックライトユニット１２の推定消費電力を、同じくＳ２１５にて取得した推定消費電力から再計算する。そして、消費電力比較部２４は、新たに算定された推定消費電力と目標消費電力とを比較する（Ｓ２１８）。
【０１８９】
ここで、再度算定された推定消費電力が、目標消費電力にまだ達しない場合には（Ｓ２１８においてＮＯ）、表示サイズシミュレート部２８がさらに静止画を縮小して、消費電力推定部２２が推定消費電力を再計算するステップを繰り返す。反対に、再度算定された推定消費電力が、目標消費電力に達した場合には（Ｓ２１８においてＹＥＳ）、表示サイズシミュレート部２８は、現時点でシミュレートした表示サイズに基づいて、静止画の縮小率を消灯領域出力部２９に伝達する（Ｓ２１９）。表示サイズシミュレート部２８が、静止画の表示位置もシミュレートする場合には、静止画の表示位置（座標情報など）を併せて消灯領域出力部２９に伝達してもよい。消灯領域出力部２９は、表示サイズシミュレート部２８から取得した静止画の縮小率（および、表示位置）に基づいて、表示装置の表示部２において何も表示されない領域、すなわち消灯領域を特定する（Ｓ２２０）。そして、消灯領域出力部２９は、消灯領域情報をバックライト制御部２７に出力する。
【０１９０】
バックライト制御部２７は、輝度シミュレート部２５がシミュレートした輝度情報と、表示サイズシミュレート部２８がシミュレートした表示サイズとに基づいて、バックライトユニット１２を制御する（Ｓ２１３）。
【０１９１】
上記方法によれば、表示装置は、エココンテンツに応じて設定された目標消費電力にしたがって、バックライトユニット１２を制御することができる。つまり、目標消費電力を越えないように消費電力を維持しつつ、エココンテンツを表示することができる。ユーザは、目標消費電力を設定されたエココンテンツを表示しているという認識から、省エネに貢献したコンテンツ利用を意識することが可能である。さらに、達成された目標消費電力をユーザにより意識させるために、表示装置の表示制御部１（６）は、コンテンツ表示中の目標消費電力の情報を表示部２に表示してもよい。図１４（ａ）および（ｂ）に示す例では、表示制御部１（６）は、コンテンツをどの表示モードで表示しているか、消費電力がどのくらいに抑えられているのか、あるいは、表示中のコンテンツは、環境に配慮したエココンテンツであるのか否か、などの情報１４０ａ（１４０ｂ）を、コンテンツとともに表示している。
【０１９２】
さらに、上記方法によれば、エココンテンツには、該コンテンツ制作側が定めた、品質を最低限保証するための輝度下限値が定められており、表示装置は、該輝度下限値を下回らないようにバックライトユニット１２を制御することができる。つまり、輝度下限値まで輝度を下げても目標消費電力に達しない場合には、さらに輝度を下げる代わりに、エココンテンツの表示サイズを縮小し、バックライトユニット１２の消灯領域を増やすことによって目標消費電力を達成する。したがって、エココンテンツの視認性を犠牲にすることなく、目標消費電力を達成することが可能となる。
【０１９３】
なお、本発明のバックライトユニット１２の制御方法は、上記に限定されない。表示サイズに下限値を設けて、表示サイズを縮小してから輝度を下げる制御によって消費電力を削減してもよいし、上述したように調停部３０が、輝度の低減と表示サイズの縮小とをどの割合で行うのかを調整して、消費電力を削減してもよい。
【０１９４】
また、本発明の表示装置は、静止画のエココンテンツのみならず、動画のエココンテンツを表示する場合にも、目標消費電力にしたがったバックライトユニット１２制御を行うことが可能である。
【０１９５】
動画は、複数のコマつまり複数の静止画からなるコンテンツである。ここで、静止画ごとに輝度と縮小率とを変更すると、明るさと表示サイズの異なる複数のコマからなる動画になってしまい、再生時に非常に見づらい状況に陥ってしまう。そこで、動画のエココンテンツを表示する場合には、あらかじめ映像が常に最大輝度になる（全体が白色の映像）であると仮定して、そのような映像が再生された場合でも目標消費電力を超えないように、輝度シミュレート部２５および表示サイズシミュレート部２８のそれぞれが、輝度および表示サイズを決定する。
【０１９６】
上述の各実施形態では、本発明の表示制御装置を、バックライトを備える表示装置のバックライトの消費電力を制御するものとして説明したが、本発明の表示制御装置はこれに限定されない。自発光型表示パネルを備える表示装置において、当該パネルの輝度を制御する表示制御装置も本発明の範疇に含まれる。この場合、表示制御部１は、バックライト制御部２７の代わりに、自発光型表示パネルの輝度を全体的に、あるいは、任意の領域ごとに制御する輝度制御部（輝度制御手段）を備える。輝度制御部は、輝度シミュレート部２５がシミュレートした輝度低減率に基づいて、自発光型表示パネルの輝度を低減させ、自発光型表示パネルの消費電力を目標消費電力に達するように制御する。
【０１９７】
≪実施形態４≫
上述の各実施形態では、表示装置に適用する２つの電力削減ツールによって、テレビ受像機１００の消費電力を削減する構成について説明した。２つの電力削減ツールとは、すなわち、１つ目は、バックライトの輝度を制御することによって消費電力を削減する構成であり、２つ目は、コンテンツ（静止画、動画など）の表示サイズを縮小することで、バックライトの消灯領域を増やし、これによって消費電力を削減する構成である。
【０１９８】
上述の実施形態は、目標消費電力を達成するための電力削減ツールが複数ある場合は、テレビ受像機１００の調停部３０が各電力削減ツールを適用する割合を調整する構成であった。本実施形態は、各電力削減ツールに優先順位を付けて、適用する順番を制御する構成である。本実施形態について図面に基づいて説明すると以下の通りである。
【０１９９】
〔テレビ受像機の構成〕
図１５は、本発明の他の実施形態における、表示制御装置および／またはコンテンツ処理装置としてのテレビ受像機１００の要部構成を示すブロック図である。本実施形態のテレビ受像機１００は、図２に示すテレビ受像機１００の構成と比較して、制御部１０が、さらに、削減ツール選択部９を少なくとも備えている点で異なっている。なお、図１５に示すとおり、図１または図６に示す表示制御部１（６）が備えている設定受付部２０、目標値取得部２３、調停部３０は、制御部１０が備える構成としてもよい。また、コンテンツ取得部５によって取得されるコンテンツを処理するための映像信号処理部１８および音声信号処理部１９を備えていてもよい。これにより、静止画だけでなく、動画、および／または、音声を含むコンテンツを出力する。
【０２００】
図１５の各構成要素に付された符号は、図１、２および６の各構成要素に付された符号に対応しており、同じ符号は、同じ構成要素を示している。したがって、上述の各実施形態で既に説明した構成要素について同じ説明は行わず、異なる点について説明する。
【０２０１】
削減ツール選択部９は、テレビ受像機１００が電力削減ツールを複数備える場合に、各ツールに対応付けられた優先順位情報に基づいて、目標消費電力を達成するために適用する電力削減ツールを選択するものである。優先順位情報とは、電力削減ツールそれぞれに対して、動作する順番を指定する情報である。
【０２０２】
例えば、テレビ受像機１００で映画をよく鑑賞するユーザは、映画のコンテンツを常に大画面で視聴したいと望み、表示サイズの犠牲にすることは好ましくないと考えているとする。このようなケースでは、表示サイズ縮小の電力削減ツール以外のツールが優先して適用されるように優先順位情報を設定しておく。具体的には、優先順位情報として、「輝度低減」に対して「１位」、「表示サイズ縮小」に対して「２位」が対応付けられているとする。この場合、削減ツール選択部９は、優先順位情報にしたがって、まず、輝度低減によって、目標消費電力を達成するように表示制御部６に指示し、輝度低減のみでは目標消費電力を達成できなかった場合に、次に、表示サイズ縮小を実行するように表示制御部６に指示する。
【０２０３】
一方、デジタルカメラなどで撮影した写真をテレビ受像機１００でよく鑑賞するユーザは、表示サイズは画面いっぱいでなくても、明るい部屋できれいに表示したいと考えているとする。このようなケースでは、「表示サイズ縮小」に対して「１位」を設定する。これにより、削減ツール選択部９は、まず、表示サイズを縮小することで目標消費電力を達成するように表示制御部６に指示することができる。
【０２０４】
〔優先順位情報について〕
削減ツール選択部９は、設定情報記憶部４１に設定情報の一部として記憶されている優先順位情報を参照したり、コンテンツ記憶部４０に記憶されているコンテンツに関連付けられている優先順位情報を取得したりすることができる。
【０２０５】
優先順位情報は、次に示すような方法で、電力削減ツールごとに設定される。
【０２０６】
図１６（ａ）は、エココンテンツ８２が静止画である場合のデータ構造を概略的に示したデータ構造図である。図１６（ａ）に示すエココンテンツ８２は、図９のそれと比較して、ＥＸＩＦ領域８００のメタデータ領域８２０において、さらに、優先順位情報８３を含んでいる点が異なる。なお、コンテンツを処理する側（テレビ受像機１００）に、調停部３０が設けられている場合には、優先順位情報８３に加えて、あるいは、代えて、図１６（ｂ）に示すような、配分比率情報８４がメタデータ領域８２０に埋め込まれてもよい。
【０２０７】
図１６（ａ）は、優先順位情報８３において、「表示サイズ縮小」に対して「１位」が、「輝度低減」に対して「２位」が対応付けられている例を示している。その他にも優先度の低い電力削減ツールがある場合には、それらに対し、「３位」、「４位」・・・と優先順位情報を対応付ければよい。なお、優先順位は、コンテンツを提供する側（図７、図８のコンテンツサーバ２００など）が、そのコンテンツの内容、視聴される目的などに応じて、コンテンツの効果が最も犠牲にならずに済むように、電力削減ツールの特性を考慮して適宜定めればよい。
【０２０８】
本実施形態では、さらに、各電力削減ツールに対して下限値が設けられているものとする。下限値は、電力削減ツールによって消費電力を節約するため、出力されるコンテンツの質が低下したとしても、ユーザに違和感なく知覚されるように、質を最低限保つための必要最小限の値を示す。例えば、サイズ下限値として、そのコンテンツが表示され得る最小値（縦横何ピクセル×何ピクセル）が「表示サイズ縮小」に対応付けられる。下限値は、エココンテンツ８２が一定の画質を保って美しい状態で出力される範囲で、最も消費電力削減効果が得られる値に設定されることが望ましい。
【０２０９】
上記下限値は、例えば、図８に示したコンテンツ生成装置（コンテンツサーバ２００）などによって、すでに説明した方法で優先順位情報８３に埋め込まれる。
【０２１０】
あるいは、優先順位情報８３は、ユーザが自身の利用傾向に応じて適宜設定できるものであってもよい。
【０２１１】
図１７（ａ）は、ユーザが表示モードを設定するための操作画面の一例を示す図であり、図１７（ｂ）は、設定情報記憶部４１に記憶される設定情報の具体例を示す図である。図３（ａ）に示す操作画面と比較して、図１７（ａ）に示す操作画面では、各電力削減ツールの適用比率を設定するメニューの代わりに、各電力削減ツールの優先順位を設定するメニューが表示されている。ユーザは、「輝度（低減）」、「表示サイズ（縮小）」、あればその他の電力削減ツールについて、自分が望む適用の順番を指定することができる。
【０２１２】
例えば、ユーザは、低消費電力モードを輝度の低減で実現することを望まない場合には、図１７（ａ）に示すとおり、電力削減ツール「表示サイズ」の順番を、「輝度」に優先させることができる。
【０２１３】
こうして操作部４（図１５）から入力された、変更後の優先順位情報は、設定受付部２０（図１５）を介して受け付けられて、設定情報記憶部４１に記憶される。図１７（ｂ）に示すとおり、各電力削減ツールに、ユーザによって指定された優先順位が対応付けられて記憶される。
【０２１４】
これにより、テレビ受像機１００が複数の電力削減ツールを備える場合に、目標消費電力を達成する上で、優先的に適用する電力削減ツールを、コンテンツの内容、目的を考慮して選択し、適用の順番を制御することが可能となる。
【０２１５】
≪実施形態５≫
上述の各実施形態では、テレビ受像機１００（コンテンツ処理装置）が備える、表示部２（表示装置）に１以上の電力削減ツールを適用して、目標消費電力を達成する例について説明した。
【０２１６】
しかしながら、本発明のコンテンツ処理装置は、上記表示装置（のバックライトユニット）以外にも、コンテンツを処理するためのさまざまな処理ユニットを備えており、その各々がコンテンツを出力するために電力を消費して動作している。したがって、バックライトユニット１２以外の処理ユニットの消費電力を、目標消費電力に基づいて制御することができれば、上述の各実施形態と同様、あるいは、それ以上の消費電力削減効果を得ることが可能である。
【０２１７】
本実施形態では、表示制御部１、６における、消費電力を削減するための構成を、図１５に示すテレビ受像機１００の映像信号処理部１８、および、音声信号処理部１９に適用した場合について説明する。
【０２１８】
図１８〜２０の各構成要素に付された符号は、図１、２、６および１５の各構成要素に付された符号に対応しており、同じ符号は、同じ構成要素を示している。したがって、上述の各実施形態で既に説明した構成要素について同じ説明は行わず、異なる点について説明する。
【０２１９】
〔動画演算ユニットの負荷低減〕
既に述べたとおり、テレビ受像機１００は、映像信号処理部１８を備え、コンテンツ取得部５を介して取得したさまざまな動画（放送された番組データや、ウェブで公開されている動画データなど）を出力し、コンテンツを再生することができる。
【０２２０】
動画は、膨大な量の静止画の集まりであり非常にデータサイズが大きい。そのため、動画を扱う制御部１０および表示制御部６を構成しているＣＰＵやＧＰＵ（graphics processing unit）などの動画演算ユニットには、動画を扱う際に常に負荷がかかっており、動画演算ユニットは、この負荷の大きさに応じて電力を消費している。
【０２２１】
したがって、上記動画演算ユニットの負荷を制御し低減することにより、消費電力を削減することができる。以下では、図１８を参照しながら、動画演算ユニットの負荷を低減する電力削減ツール（「動画負荷低減」）の構成について説明する。
【０２２２】
図１８は、本実施形態におけるテレビ受像機１００が備える映像信号処理部１８の要部構成を示すブロック図である。映像信号処理部１８は、動画のコンテンツに含まれる映像信号を処理するものである。
【０２２３】
図１８に示すとおり、映像信号処理部１８は、詳細には、表示対象取得部２１、消費電力推定部２２、消費電力比較部２４、フレームレートシミュレート部３１、および、フレームレート変換部３２を備える構成となっている。
【０２２４】
ここでは、表示対象取得部２１は、削減ツール選択部９によって、電力削減ツール「動画負荷低減」が選択された場合に、処理対象となるコンテンツをコンテンツ記憶部４０から取得する。あるいは、他の電力削減ツールによって当該コンテンツに別の処理が施されている場合には、削減ツール選択部９に指示にしたがって、図示しない一時記憶部から、一時的に記憶されている処理中のコンテンツを取得してもよい。
【０２２５】
フレームレートシミュレート部３１は、表示対象取得部２１によって取得されたコンテンツの元のフレームレートを所定の割合で減らした状態を仮想的に再現し、その模擬したフレームレートを消費電力推定部２２に送信するものである。
【０２２６】
ここでは、消費電力推定部２２は、取得されたコンテンツを、元のフレームレート、あるいは、フレームレートシミュレート部３１によって模擬されたフレームレートで再生するときの、動画演算ユニットの消費電力を推定する。フレームレートと動画演算ユニットの消費電力との対応関係は、動画演算ユニットのスペックによってさまざまである。そこで、消費電力推定部２２は、テレビ受像機１００に搭載されている動画演算ユニット（ＣＰＵ、ＧＰＵなど）のスペックに応じて用意された対応テーブルやグラフなどを記憶部３から読み出してもよいし、フレームレートから推定消費電力を算出可能なようにスペックに応じて用意された式を保持していてもよい。
【０２２７】
また、消費電力推定部２２は、他の電力削減ツールによって現時点で達成されている消費電力の値を外部（削減ツール選択部９など）から取得している場合には、その値に基づいて、求まった動画演算ユニットの消費電力を加味して、最終的な推定消費電力を合算して求めてもよい。
【０２２８】
消費電力比較部２４が、消費電力推定部２２が算定した推定消費電力（Ｗ）と、目標値取得部２３が取得した目標消費電力（Ｗ）とを比較した結果、目標消費電力が達成されない限り、フレームレートシミュレート部３１は、フレームレートの削減を継続して行う。ただし、本実施形態では、フレームレートシミュレート部３１は、電力削減ツール「動画負荷低減」に対して設けられているフレームレート下限値を下回らない範囲でフレームレートをシミュレートする。下限値に到達してもなお目標消費電力を達成できなかった場合には、消費電力比較部２４およびフレームレートシミュレート部３１は、削減できた消費電力と、そのときの模擬したフレームレートとを削減ツール選択部９にフィードバックしてもよい。
【０２２９】
消費電力比較部２４が、目標消費電力が達成されたと判断した場合、フレームレートシミュレート部３１は、その時点でシミュレートしたフレームレートの値をフレームレート変換部３２に通知する。
【０２３０】
フレームレート変換部３２は、フレームレートシミュレート部３１から通知されたフレームレートに基づいて動画が再生されるように、フレームレートを下げた動画を表示制御部６に供給する。フレームレートが下げられた動画とは、すなわち、所定の割合で処理不要と判断されたフレームを削除し（いわば、フレームの間引きが行われて）、データサイズが元の動画と比較して軽量化された動画のことである。
【０２３１】
フレームレート変換部３２によって軽量化された動画の映像信号は、表示制御部６によって処理されて、液晶モジュール１１に出力され、映像としてユーザに視認される。
【０２３２】
動画が軽量化されると、表示制御部６などの動画演算ユニットにかかる負荷は軽減され、その分消費電力が削減される。このように、電力削減ツール「動画負荷低減」は、コンテンツ処理装置における消費電力の削減を実現することができる。
【０２３３】
〔音声出力ユニットの音量低減〕
テレビ受像機１００は、図１５に示すとおり、音声信号処理部１９および音声出力ユニット１７を備えている。音声信号処理部１９は、コンテンツ取得部５を介して取得した、動画のコンテンツに含まれる音声データ、あるいは、音声データのみのコンテンツの音声信号を処理し、音声出力ユニット１７がその音声信号をユーザが聴取できる音として出力する。
【０２３４】
このとき、音声出力ユニット１７の各部は、出力すべき音の大きさに応じて電力を消費している。具体的には、音声信号処理部１９から入力された音声信号の音圧レベルを減衰する減衰部１７ａでは、増幅部１７ｂへ出力する音圧レベルを下げなければ、増幅部１７ｂでの消費電力が最大になる。また、増幅部１７ｂにおいてゲインを上げるほど、増幅部１７ｂの消費電力が増大する。
【０２３５】
すなわち、音声出力ユニットで処理される音量を制御し低減することにより、コンテンツ処理装置の消費電力を削減することができる。以下では、図１９を参照しながら、音声出力ユニット１７で処理される音量を低減する電力削減ツール（「音量低減」）の構成について説明する。
【０２３６】
図１９は、本実施形態におけるテレビ受像機１００が備える音声信号処理部１９の要部構成を示すブロック図である。
【０２３７】
図１９に示すとおり、音声信号処理部１９は、詳細には、処理対象取得部２１ａ、消費電力推定部２２、消費電力比較部２４、音圧レベルシミュレート部３３、ゲインシミュレート部３４、および、音声出力制御部３５を備える構成となっている。
【０２３８】
処理対象取得部２１ａは、削減ツール選択部９によって、電力削減ツール「音量低減」が選択された場合に、処理対象となるコンテンツをコンテンツ記憶部４０から取得する。あるいは、他の電力削減ツールによって当該コンテンツに別の処理が施されている場合には、削減ツール選択部９に指示にしたがって、図示しない一時記憶部から、一時的に記憶されている処理中のコンテンツを取得してもよい。
【０２３９】
音圧レベルシミュレート部３３は、処理対象取得部２１ａによって取得されたコンテンツに含まれる音声信号における音圧レベルを所定の割合で下げた状態を仮想的に再現し、その模擬した音圧レベルを消費電力推定部２２に送信するものである。
【０２４０】
ゲインシミュレート部３４は、増幅部１７ｂが入力された音声信号の音圧レベルを増幅させるときのゲインを仮想的に再現し、その模擬したゲインを消費電力推定部２２に送信するものである。
【０２４１】
ここでは、消費電力推定部２２は、取得されたコンテンツの音声信号を、音声出力ユニット１７が、現在設定されている音圧レベルおよびゲインで処理した場合の音声出力ユニット１７の消費電力を推定する。あるいは、音圧レベルシミュレート部３３によってシミュレートされた音圧レベル、および、ゲインシミュレート部３４によってシミュレートされたゲインで上記音声信号を処理した場合の音声出力ユニット１７の消費電力を推定する。なお、消費電力推定部２２は、他の電力削減ツールによって現時点で達成されている消費電力の値を外部（削減ツール選択部９など）から取得している場合には、その値に基づいて、求まった音声出力ユニット１７の消費電力を加味して、最終的な推定消費電力を合算して求めてもよい。
【０２４２】
音圧レベルの制御により消費電力の削減を実現する場合、消費電力比較部２４が、消費電力推定部２２が算定した推定消費電力（Ｗ）と、目標値取得部２３が取得した目標消費電力（Ｗ）とを比較した結果、目標消費電力が達成されない限り、音圧レベルシミュレート部３３は、音圧レベルの減衰を継続してシミュレートする。ただし、本実施形態では、電力削減ツール「音量低減」に対して設けられている音圧レベル下限値を下回らない範囲で、音圧レベルをシミュレートする。下限値に到達してもなお目標消費電力を達成できなかった場合には、消費電力比較部２４および音圧レベルシミュレート部３３は、目標未達ではあるが削減できた消費電力と、そのときの模擬した音圧レベルとを削減ツール選択部９にフィードバックしてもよい。
【０２４３】
ゲインの制御により消費電力の削減を実現する場合は、ゲインシミュレート部３４が、ゲインの低下をシミュレートする。音圧レベルの場合と同様に、ゲインのシミュレートは、消費電力比較部２４が、消費電力推定部２２が算定した推定消費電力（Ｗ）と、目標値取得部２３が取得した目標消費電力（Ｗ）とを比較した結果、目標消費電力が達成されるまで継続される。ただし、本実施形態では、電力削減ツール「音量低減」に対して設けられているゲイン下限値を下回らない範囲で、ゲインをシミュレートする。下限値に到達してもなお目標消費電力を達成できなかった場合には、消費電力比較部２４およびゲインシミュレート部３４は、目標未達ではあるが削減できた消費電力と、そのときの模擬したゲインとを削減ツール選択部９にフィードバックしてもよい。
【０２４４】
なお、電力削減ツール「音量低減」を実現するために、音圧レベルのみを制御してもよいし、ゲインのみを制御してもよいし、両方を組み合わせて制御してもよい。
【０２４５】
消費電力比較部２４が目標消費電力が達成されたと判断した場合、音圧レベルシミュレート部３３は、その時点でシミュレートした音圧レベルの減衰率を、ゲインシミュレート部３４は、その時点でシミュレートしたゲインを、音声出力制御部３５に通知する。
【０２４６】
音声出力制御部３５は、各シミュレート部から通知された、音圧レベル減衰率（ゲイン）に基づいて音量が制御されるように、音声出力ユニット１７の各部を制御するものである。
【０２４７】
音声出力制御部３５は、減衰部１７ａを制御し、音圧レベルシミュレート部３３から通知された音圧レベル減衰率に基づいて、減衰部１７ａに入力された音声信号の音圧レベルを減衰させる。さらに、音声出力制御部３５は、ゲインシミュレート部３４から通知されたゲインにて、上記減衰された音声信号を増幅するように増幅部１７ｂを制御する。増幅部１７ｂから出力された音声信号は、結果として音量が制限された状態で、スピーカで実現される音声出力部１７ｃから音として出力される。
【０２４８】
以上のとおり、音声出力ユニット１７によって処理される音声信号の音圧レベルおよび／またはゲインを低減することにより、音声出力ユニット１７が消費する電力が削減される。このように、電力削減ツール「音量低減」は、コンテンツ処理装置における消費電力の削減を実現することができる。
【０２４９】
図２０は、本実施形態におけるテレビ受像機１００が備える表示制御部６の要部構成を示すブロック図である。
【０２５０】
本実施形態では、表示対象取得部２１は、削減ツール選択部９によって、電力削減ツール「輝度低減」または「表示サイズ縮小」が選択された場合に、処理対象となるコンテンツをコンテンツ記憶部４０から取得する。あるいは、他の電力削減ツールによって当該コンテンツに別の処理が施されている場合には、削減ツール選択部９に指示にしたがって、図示しない一時記憶部から、一時的に記憶されている処理中のコンテンツを取得してもよい。また、表示対象取得部２１は、処理対象の映像信号が、映像信号処理部１８によって処理された場合にはそれを取得する。表示対象取得部２１は、取得したコンテンツ（静止画、動画）の映像信号を図示しないフレームバッファを介して液晶モジュール１１に出力する。
【０２５１】
消費電力推定部２２は、上述の各実施形態と同様に、バックライトユニット１２の消費電力を推定する。しかし、本実施形態では、消費電力推定部２２は、他の電力削減ツールによって現時点で達成されている消費電力の値を外部（削減ツール選択部９など）から取得している場合には、その値に基づいて、求まった音声出力ユニット１７の消費電力を加味して、最終的な推定消費電力を合算して求めてもよい。
【０２５２】
消費電力比較部２４が、消費電力推定部２２が算定した推定消費電力（Ｗ）と、目標値取得部２３が取得した目標消費電力（Ｗ）とを比較した結果、目標消費電力が達成されない限り、輝度シミュレート部２５（表示サイズシミュレート部２８）は、バックライト輝度、および、消灯領域を継続してシミュレートする。ただし、本実施形態では、電力削減ツール「輝度低減」「表示サイズ」に対して設けられている輝度下限値（サイズ下限値）を下回らない範囲でシミュレートする。下限値に到達してもなお目標消費電力を達成できなかった場合には、消費電力比較部２４および各シミュレート部（２５、２８）は、目標未達ではあるが削減できた消費電力と、そのときの模擬した輝度（表示サイズ（消灯領域））とを削減ツール選択部９にフィードバックしてもよい。
【０２５３】
上記構成によれば、バックライトユニット１２に対しては、「輝度低減」、「表示サイズ縮小」の電力削減ツールを適用することができ、動画演算ユニットに対しては、「動画負荷低減」の電力削減ツールを適用することができ、音声出力ユニット１７に対しては、「音量低減」の電力削減ツールを適用することができる。
【０２５４】
このように、電力削減ツールの選択肢の幅を広げることにより、コンテンツの質を、１つの特性に絞って著しく低下させることなく、コンテンツの処理にかかるコンテンツ処理装置の消費電力を削減することが可能となる。
【０２５５】
〔コンテンツ処理フロー〕
図２１〜図２５を参照しながら、本発明のテレビ受像機１００（コンテンツ処理装置）における、エココンテンツ処理フローを説明する。ここでは、一例として、テレビ受像機１００が、通信部１５を介して取得した動画コンテンツを処理する場面で、該動画コンテンツには、これまでに述べた４つの電力削減ツールについての優先順位情報８３が含まれているものとする。
【０２５６】
図２１は、本発明の一実施形態におけるテレビ受像機１００の処理の流れを示すフローチャートである。
【０２５７】
インターネット７（図７）を介してコンテンツサーバ２００から取得された動画を再生する動作がテレビ受像機１００において開始されると、図２１に示すとおり、制御部１０は、処理対象となる動画のコンテンツをコンテンツ記憶部４０から取得する（Ｓ３０１）。
【０２５８】
より詳細には、まず、目標値取得部２３は、上記動画を表示するときに達成すべき目標消費電力を取得する。具体的には、目標値取得部２３は、設定情報記憶部４１のエココンテンツ設定のフィールド（図３（ｂ））を参照する。該フィールドの値が「ＯＮ」の場合（Ｓ３０２においてＹＥＳ）で、かつ、上記動画のコンテンツに目標消費電力が埋め込まれている場合には（Ｓ３０３においてＹＥＳ）、目標値取得部２３は、コンテンツに埋め込まれている目標消費電力を取得する（Ｓ３０４）。あるいは、エココンテンツ設定のフィールドの値が「ＯＦＦ」の場合（Ｓ３０２においてＮＯ）またはコンテンツに目標消費電力が埋め込まれていない場合には（Ｓ３０３においてＮＯ）、目標値取得部２３は、設定情報記憶部４１の消費電力設定のフィールドから固定値の目標消費電力を取得する（Ｓ３０５）。
【０２５９】
次に、削減ツール選択部９は、目標消費電力を達成するために電力削減ツールを適用する必要があるか否かを判断する。具体的には、コンテンツを処理する各部（表示制御部６、映像信号処理部１８、音声信号処理部１９）を制御して、消費電力比較部２４に、目標値取得部２３が取得した上記目標消費電力と、各部の消費電力推定部２２から得られた推定消費電力とを比較させる（Ｓ３０６）。
【０２６０】
推定消費電力が既に目標消費電力を達成している場合には（Ｓ３０６においてＮＯ）、現状の輝度、表示サイズ、フレームレート、および、音量を維持して、コンテンツを出力する。
【０２６１】
反対に、目標消費電力が未達成の場合には（Ｓ３０６においてＹＥＳ）、削減ツール選択部９は、電力削減ツールを適用する必要があると判断し、電力削減ツールを選択するステップに移行する。
【０２６２】
削減ツール選択部９は、コンテンツに優先順位情報８３が含まれていなければ（Ｓ３０７においてＮＯ）、デフォルトの順序で（あるいは、図１７（ｂ）に示すとおりユーザがあらかじめ指定した順序で）電力削減ツールが適用されるように各部を制御する（例えば、図１３のＳ２０８以降を実行する）。
【０２６３】
一方、コンテンツに優先順位情報８３が埋め込まれている場合は、優先順位情報８３に含まれる、各電力削減ツールの優先順位と、下限値とを取得する（Ｓ３０８）。ここでは、一例として、優先順位情報８３は、
１位−音量低減（音圧レベル下限値）
２位−輝度低減（輝度下限値）
３位−表示サイズ縮小（サイズ下限値）
４位−動画負荷低減（フレームレート下限値）
であるとする。
【０２６４】
上記の例では、削減ツール選択部９は、優先順位が最上位の電力削減ツールは、「音量低減」であると判断する（Ｓ３０９において３、Ｓ３１５においてＢ）。そして、まず、音声信号処理部１９に対して、現在の推定消費電力と、目標消費電力とを通知して、消費電力の削減を指示する。
【０２６５】
削減ツール選択部９の指示にしたがい、音声信号処理部１９の各部は、音量低減処理を実行する（Ｓ３１７）。音声信号処理部１９からは、音量低減処理の実行結果として、目標達成または未達成の情報と、上記音量低減処理によって実現された最新の推定消費電力とが削減ツール選択部９にフィードバックされる。
【０２６６】
ここで、目標消費電力で達成されなかった場合（Ｓ３１１においてＮＯ）、まだ、未実行の電力削減ツールがあれば（Ｓ３１２においてＹＥＳ）、削減ツール選択部９は、未実行の電力削減ツールのうち、優先順位が最上位の電力削減ツールを選択する。上記の例では、「輝度低減」であると判断する（Ｓ３０９において２）。そして、表示制御部６に対して、最新の推定消費電力と、目標消費電力とを通知して、消費電力の削減を指示する。
【０２６７】
削減ツール選択部９の指示にしたがい、表示制御部６の各部は、輝度低減処理を実行する（Ｓ３１４）。表示制御部６からは、輝度低減処理の実行結果として、目標達成または未達成の情報と、上記輝度低減処理によって実現された最新の推定消費電力とが削減ツール選択部９にフィードバックされる。
【０２６８】
ここで、目標消費電力で達成されなかった場合（Ｓ３１１においてＮＯ）、まだ、未実行の電力削減ツールがあれば（Ｓ３１２においてＹＥＳ）、削減ツール選択部９は、未実行の電力削減ツールのうち、優先順位が最上位の電力削減ツールを選択する。上記の例では、「表示サイズ縮小」であると判断する（Ｓ３０９において１）。そして、表示制御部６に対して、最新の推定消費電力と、目標消費電力とを通知して、消費電力の削減を指示する。
【０２６９】
削減ツール選択部９の指示にしたがい、表示制御部６の各部は、表示サイズ縮小処理を実行する（Ｓ３１０）。表示制御部６からは、表示サイズ縮小処理の実行結果として、目標達成または未達成の情報と、上記表示サイズ縮小処理によって実現された最新の推定消費電力とが削減ツール選択部９にフィードバックされる。
【０２７０】
ここで、目標消費電力が達成されなかった場合（Ｓ３１１においてＮＯ）、まだ、未実行の電力削減ツールがあれば（Ｓ３１２においてＹＥＳ）、削減ツール選択部９は、未実行の電力削減ツールのうち、優先順位が最上位の電力削減ツールを選択する。上記の例では、「動画負荷低減」であると判断する（Ｓ３０９において３、Ｓ３１５においてＡ）。そして、映像信号処理部１８に対して、最新の推定消費電力と、目標消費電力とを通知して、消費電力の削減を指示する。
【０２７１】
削減ツール選択部９の指示にしたがい、映像信号処理部１８の各部は、負荷低減処理を実行する（Ｓ３１６）。映像信号処理部１８からは、負荷低減処理の実行結果として、目標達成または未達成の情報と、上記負荷低減処理によって実現された最新の推定消費電力とが削減ツール選択部９にフィードバックされる。
【０２７２】
ここで、目標消費電力で達成されると（Ｓ３１１においてＹＥＳ）、削減ツール選択部９は、電力削減ツールをこれ以上は適用不要であると判断する。ここで、表示制御部６、映像信号処理部１８、および、音声信号処理部１９の各部は、最新のシミュレート結果に基づいて、それぞれの制御対象である処理ユニット（バックライトユニット１２、動画演算ユニット、および、音声出力ユニット１７）を制御して、上記動画のコンテンツを再生する（Ｓ３１３）。
【０２７３】
なお、すべての電力削減ツールを適用しても目標消費電力が達成されなかった場合には（Ｓ３１１においてＮＯ、Ｓ３１２においてＮＯ）、目標消費電力が達成できなかった旨を通知するメッセージをユーザに対して表示してもよい。例えば、「目標消費電力は達成できませんでした。これ以上の消費電力節約はコンテンツ再生に影響があるためお勧めできません。」などのメッセージを表示することが考えられる。さらに、上記メッセージとともに、「コンテンツを表示しますか？（１）エココンテンツ設定を解除して再生する、（２）可能な範囲で消費電力が削減された状態で再生する、（３）再生を中止する」などの選択肢を含んだダイアログメッセージを表示し、上記コンテンツを、どのように取り扱うかをユーザに選択させてもよい。
【０２７４】
図２２は、本発明の一実施形態における表示制御部６の輝度低減処理の流れを示すフローチャートである。図２２に示す輝度低減処理は、図２１に示すＳ３１４の輝度低減処理の流れを詳細に示している。
【０２７５】
図２０に示す表示制御部６の輝度シミュレート部２５は、優先順位情報８３から、輝度下限値を取得する（Ｓ４０１）。そして、消費電力推定部２２は、削減ツール選択部９から、最新の現状の推定消費電力を取得する（Ｓ４０２）。
【０２７６】
輝度シミュレート部２５および消費電力推定部２２は、輝度下限値に到達するまで、あるいは、目標消費電力を達成するまで、バックライトの輝度のシミュレーションと、推定消費電力の算定を継続する。この処理フローについては、図４および図１３の説明とほぼ同様であるのでここでは説明を省略する。
【０２７７】
消費電力比較部２４は、目標消費電力が達成されると（Ｓ４０５においてＹＥＳ）、その旨を削減ツール選択部９に通知する（Ｓ４０６）。ここで、バックライト制御部２７は、輝度シミュレート部２５および輝度情報出力部２６の指示にしたがってバックライトユニット１２の輝度を制御してもよい。
【０２７８】
一方、目標消費電力が達成されないうちに、シミュレート輝度値が輝度下限値に到達してしまった場合には（Ｓ４０５においてＮＯ、Ｓ４０７においてＮＯ）、消費電力比較部２４が、目標未達成の旨を削減ツール選択部９に通知するとともに、消費電力推定部２２が、現時点で達成されている最新の推定消費電力を、削減ツール選択部９にフィードバックする（Ｓ４０８）。
【０２７９】
図２３は、本発明の一実施形態における表示制御部６の表示サイズ縮小処理の流れを示すフローチャートである。図２３に示す表示サイズ処理は、図２１に示すＳ３１０の表示サイズ縮小処理の流れを詳細に示している。
【０２８０】
図２０に示す表示制御部６の表示サイズシミュレート部２８は、優先順位情報８３から、サイズ下限値を取得する（Ｓ５０１）。そして、消費電力推定部２２は、削減ツール選択部９から、最新の現状の推定消費電力を取得する（Ｓ５０２）。
【０２８１】
表示サイズシミュレート部２８および消費電力推定部２２は、シミュレートされたコンテンツの表示サイズがサイズ下限値に到達するまで、あるいは、目標消費電力を達成するまで、バックライトの消灯領域のシミュレーションと、推定消費電力の算定を継続する。この処理フローについては、図４および図１３の説明とほぼ同様であるのでここでは説明を省略する。
【０２８２】
消費電力比較部２４は、目標消費電力が達成されると（Ｓ５０５においてＹＥＳ）、その旨を削減ツール選択部９に通知する（Ｓ５０６）。ここで、バックライト制御部２７は、表示サイズシミュレート部２８および消灯領域出力部２９の指示にしたがって、バックライトユニット１２を制御してもよい。
【０２８３】
一方、目標消費電力が達成されないうちに、シミュレート表示サイズがサイズ下限値に到達してしまった場合には（Ｓ５０５においてＮＯ、Ｓ５０７においてＮＯ）、消費電力比較部２４が、目標未達成の旨を削減ツール選択部９に通知するとともに、消費電力推定部２２が、現時点で達成されている最新の推定消費電力を、削減ツール選択部９にフィードバックする（Ｓ５０８）。
【０２８４】
図２４は、本発明の一実施形態における映像信号処理部１８の負荷低減処理の流れを示すフローチャートである。図２４に示す負荷低減処理は、図２１に示すＳ３１６の負荷低減処理の流れを詳細に示している。
【０２８５】
図１８に示す映像信号処理部１８のフレームレートシミュレート部３１は、優先順位情報８３から、フレームレート下限値を取得する（Ｓ６０１）。そして、消費電力推定部２２は、削減ツール選択部９から、最新の現状の推定消費電力を取得する（Ｓ６０２）。
【０２８６】
フレームレートシミュレート部３１は、上記フレームレート下限値を下回らないように、表示対象取得部２１が取得した動画のフレームを、所定枚数（あるいは、所定％）削減した動画をシミュレートする（Ｓ６０３）。消費電力推定部２２は、シミュレートされたコンテンツを出力する場合の動画演算ユニットの消費電力を求め、それを加味して推定消費電力を算定する（Ｓ６０４）。
【０２８７】
消費電力比較部２４は、Ｓ６０４で求まった推定消費電力と、目標値取得部２３が取得した目標消費電力とを比較する。目標消費電力が達成されると（Ｓ６０５においてＹＥＳ）、消費電力比較部２４は、その旨を削減ツール選択部９に通知する（Ｓ６０６）。ここで、フレームレート変換部３２は、フレームレートシミュレート部３１が行ったシミュレート結果にしたがって、表示対象取得部２１が取得した動画のフレームレートを変換し、表示制御部６に出力してもよい。
【０２８８】
一方、目標消費電力には到達せず、まだ、シミュレートされたフレームレートがフレームレート下限値に到達していない場合には（Ｓ６０５においてＮＯ、Ｓ６０７においてＹＥＳ）、フレームレートシミュレート部３１および消費電力推定部２２が、それぞれ、Ｓ６０３、Ｓ６０４の処理を繰り返す。
【０２８９】
そして、目標消費電力が達成されないうちに、シミュレートされたフレームレートがフレームレート下限値に到達してしまった場合には（Ｓ６０５においてＮＯ、Ｓ６０７においてＮＯ）、消費電力比較部２４が、目標未達成の旨を削減ツール選択部９に通知するとともに、消費電力推定部２２が、現時点で達成されている最新の推定消費電力を、削減ツール選択部９にフィードバックする（Ｓ６０８）。
【０２９０】
図２５は、本発明の一実施形態における音声信号処理部１９の音量低減処理の流れを示すフローチャートである。図２５に示す音量低減処理は、図２１に示すＳ３１７の音量低減処理の流れを詳細に示している。
【０２９１】
図１９に示す音声信号処理部１９の音圧レベルシミュレート部３３は、優先順位情報８３から、音圧レベル下限値を取得する（Ｓ７０１）。そして、消費電力推定部２２は、削減ツール選択部９から、最新の現状の推定消費電力を取得する（Ｓ７０２）。
【０２９２】
音圧レベルシミュレート部３３は、上記音圧レベル下限値を下回らないように、表示対象取得部２１が取得した動画に含まれる音声信号の音圧レベルを、所定％削減した動画をシミュレートする（Ｓ７０３）。具体的には、処理対象の動画の所定秒間に減衰部１７ａに入力される平均音圧レベルを取得し、平均音圧レベルを所定％の減衰率で減衰したときの音圧レベルをシミュレートする。
【０２９３】
消費電力推定部２２は、シミュレートされた音圧レベルで動画の音声を出力する場合の音声出力ユニット１７の消費電力を求め、それを加味して推定消費電力を算定する（Ｓ７０４）。
【０２９４】
消費電力比較部２４は、Ｓ７０４で求まった推定消費電力と、目標値取得部２３が取得した目標消費電力とを比較する。目標消費電力が達成されると（Ｓ７０５においてＹＥＳ）、消費電力比較部２４は、その旨を削減ツール選択部９に通知する（Ｓ７０６）。ここで、音声出力制御部３５は、音圧レベルシミュレート部３３がシミュレートした音圧レベルの減衰率にしたがって、表示対象取得部２１が取得した動画の音声信号の音圧レベルを減衰するよう、減衰部１７ａを制御してもよい。
【０２９５】
一方、目標消費電力には到達せず、まだ、シミュレートされた音圧レベルが音圧レベル下限値に到達していない場合には（Ｓ７０５においてＮＯ、Ｓ７０７においてＹＥＳ）、音圧レベルシミュレート部３３および消費電力推定部２２が、それぞれ、Ｓ７０３、Ｓ７０４の処理を繰り返す。
【０２９６】
そして、目標消費電力が達成されないうちに、シミュレートされた音圧レベルが音圧レベル下限値に到達してしまった場合には（Ｓ７０５においてＮＯ、Ｓ７０７においてＮＯ）、消費電力比較部２４が、目標未達成の旨を削減ツール選択部９に通知するとともに、消費電力推定部２２が、現時点で達成されている最新の推定消費電力を、削減ツール選択部９にフィードバックする（Ｓ７０８）。
【０２９７】
図２５に基づく説明では、流れの説明を簡略化するために、「音量低減」の電力削減ツールとして、減衰部１７ａで処理する音圧レベルを制御する構成についてのみ説明したが、音声信号処理部１９の処理はこれに限定されない。例えば、増幅部１７ｂで処理するゲインのみを制御してもよいし、これらを組み合わせて制御してもよい。
【０２９８】
ゲインを制御する場合、Ｓ７０３では、ゲインシミュレート部３４は、Ｓ７０１で取得されるゲイン下限値を下回らないように、ゲインを下げた増幅部１７ｂを仮想的に再現して、表示対象取得部２１が取得した動画に含まれる音声信号の音圧レベルにて、音声信号を処理する増幅部１７ｂをシミュレートする。具体的には、処理対象の動画の所定秒間に減衰部１７ａから出力される平均音圧レベルを取得し、該平均音圧レベルを所定のゲインで増幅する増幅部１７ｂをシミュレートする。
【０２９９】
Ｓ７０４では、消費電力推定部２２は、シミュレートされたゲインで動画の音声を増幅する場合の音声出力ユニット１７の消費電力を求め、それを加味して推定消費電力を算定する。ゲインのシミュレートと推定消費電力の算定は、Ｓ７０７において、シミュレートされたゲインが、ゲイン下限値に到達するまで繰り返される。
【０３００】
なお、減衰部１７ａの出力音圧レベル、および／または、増幅部１７ｂのゲインをシミュレートし、消費電力を求める方法としては、例えば、以下のような手順が考えられる。
【０３０１】
増幅部１７ｂにて制御可能なゲインの範囲を０％〜１００％とし、また、減衰部１７ａにて制御可能な音圧レベルの範囲を０％〜１００％とする。
【０３０２】
そして、上記ゲインのパーセンテージと上記音圧レベルのパーセンテージとの組み合わせにおける消費電力の目安値（Ｗ）の対応関係は予め計算され、その対応表がテレビ受像機１００の記憶部３に記憶されているか、または、所定の数式を用いて、消費電力推定部２２が、上記パーセンテージから目安値（Ｗ）を計算できる構成とする。
【０３０３】
まず、消費電力推定部２２は、シミュレートが開始される直前のｎ秒間（ｎは例えば５など）に減衰部１７ａに入力された音声信号の音圧レベルの平均値Ａを、上記範囲のうちの％で特定する。
【０３０４】
そして、音圧レベルシミュレート部３３が現在の音圧レベルからｍ％（ｍは例えば５など）下げたことによる音圧レベルの平均値Ｂを、上記平均値Ａに基づいて、上記範囲のうちの％で特定する。最後に、消費電力推定部２２は、音圧レベルの平均値Ｂ（％）に対応する消費電力の目安値（Ｗ）を、上記対応表または上記数式を用いて求める。
【０３０５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０３０６】
最後に、表示装置、コンテンツ処理装置、および、コンテンツ生成装置の各ブロック、特に、各部２０〜３５、および各部６０〜６４は、ハードウェアロジックによって構成してもよいし、次のようにＣＰＵを用いてソフトウェアによって実現してもよい。
【０３０７】
すなわち、表示装置（または、コンテンツ生成装置）は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである表示装置（コンテンツ処理装置、または、コンテンツ生成装置）の制御プログラムのプログラムコード（実行形式プログラム、中間コードプログラム、ソースプログラム）をコンピュータで読み取り可能に記録した記録媒体を、上記表示装置（コンテンツ処理装置、または、コンテンツ生成装置）に供給し、そのコンピュータ（またはＣＰＵやＭＰＵ）が記録媒体に記録されているプログラムコードを読み出し実行することによっても、達成可能である。
【０３０８】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０３０９】
また、表示装置（コンテンツ処理装置、または、コンテンツ生成装置）を通信ネットワークと接続可能に構成し、上記プログラムコードを、通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０３１０】
本発明のコンテンツ処理装置は、自装置の各処理ユニットの消費電力を、目標消費電力を超えないように制御することが可能であるので、コンテンツを処理する各種の情報処理装置（パーソナルコンピュータ、テレビ受像機など）に好適に用いることができる。また、本発明の表示制御装置は、バックライトの消費電力を目標消費電力を超えないように制御することが可能であるので、バックライトを備えた各種表示装置に好適に用いることができる。
【符号の説明】
【０３１１】
１  表示制御部（表示制御装置／動画演算ユニット／処理ユニット）
２  表示部（表示装置）
３  記憶部
４  操作部
５  コンテンツ取得部
６  表示制御部（表示制御装置／動画演算ユニット／処理ユニット／電力削減手段）
７  インターネット
８  家庭内ＬＡＮ
９  削減ツール選択部（削減ツール選択手段）
１０  制御部（動画演算ユニット／処理ユニット）
１１  液晶モジュール
１２  バックライトユニット（バックライト／処理ユニット）
１３  放送データ受信部
１４  外部インターフェース
１５  通信部
１６  赤外線通信部
１７  音声出力ユニット（処理ユニット）
１７ａ  減衰部（減衰器）
１７ｂ  増幅部（増幅器）
１７ｃ  音声出力部
１８  映像信号処理部（電力削減手段）
１９  音声信号処理部（電力削減手段）
２０  設定受付部
２１  表示対象取得部
２１ａ  処理対象取得部
２２  消費電力推定部（消費電力推定手段）
２３  目標値取得部
２４  消費電力比較部（消費電力比較手段）
２５  輝度シミュレート部（バックライト模擬手段）
２６  輝度情報出力部
２７  バックライト制御部（バックライト制御手段／処理ユニット制御手段）
２８  表示サイズシミュレート部（バックライト模擬手段）
２９  消灯領域出力部
３０  調停部
３１  フレームレートシミュレート部（動画演算回路模擬手段）
３２  フレームレート変換部（処理ユニット制御手段／フレームレート変換手段）
３３  音圧レベルシミュレート部（増幅器模擬手段）
３４  ゲインシミュレート部（増幅器模擬手段）
３５  音声出力制御部（処理ユニット制御手段／音声出力制御手段）
４０  コンテンツ記憶部
４１  設定情報記憶部
５０  制御部
５１  記憶部
５２  操作部
５３  表示部
６０  コンテンツ取得部
６１  目標消費電力決定部（目標消費電力決定手段）
６２  エココンテンツ生成部（コンテンツ生成手段）
６３  下限値設定部
６４  輝度シミュレート部（輝度再現手段）
７０  機種情報記憶部
７１  輝度下限値記憶部
８０  コンテンツ
８１  目標消費電力
８２  エココンテンツ
８３  優先順位情報
８４  配分比率情報
１００  テレビ受像機（コンテンツ処理装置）
１００ａ  テレビ受像機（コンテンツ処理装置）
１００ｂ  テレビ受像機（コンテンツ処理装置）
１０１  デジタルフォトフレーム（表示装置）
２００  コンテンツサーバ（コンテンツ生成装置）
２０１  デジタルカメラ（コンテンツ生成装置）
２０２  ホームサーバ（コンテンツ生成装置）
７００  エココンテンツ表示システム
８００  ＥＸＩＦ領域
８１０  メーカノート領域
８２０  メタデータ領域
８３０  静止画領域
【図１】
2010134455.tif 000003
【図２】
2010134455.tif 000004
【図３】
2010134455.tif 000005
【図４】
2010134455.tif 000006
【図５】
2010134455.tif 000007
【図６】
2010134455.tif 000008
【図７】
2010134455.tif 000009
【図８】
2010134455.tif 000010
【図９】
2010134455.tif 000011
【図１０】
2010134455.tif 000012
【図１１】
2010134455.tif 000013
【図１２】
2010134455.tif 000014
【図１３】
2010134455.tif 000015
【図１４】
2010134455.tif 000016
【図１５】
2010134455.tif 000017
【図１６】
2010134455.tif 000018
【図１７】
2010134455.tif 000019
【図１８】
2010134455.tif 000020
【図１９】
2010134455.tif 000021
【図２０】
2010134455.tif 000022
【図２１】
2010134455.tif 000023
【図２２】
2010134455.tif 000024
【図２３】
2010134455.tif 000025
【図２４】
2010134455.tif 000026
【図２５】
2010134455.tif 000027